(57)【要約】      （修正有）【課題】次世代移動通信システムでのマクロセルのカバレッジ内に小規模セルが過密に配置された場合にも、ＵＥが小規模セルを早い時間内に検出する。【解決手段】ユーザ装置（ＵＥ）において、隣接セルに対する測定サブフレームパターンと探索信号に対する測定タイミング設定を受信するステップと、測定サブレームパターンと測定タイミング設定に基づいて測定を実行する一つ以上のサブフレームを選択するステップと、選択されたサブフレーム上で隣接セルの探索信号を利用して測定を実行するステップとを含む。【選択図】図１８
2019205170.tif 000002
【特許請求の範囲】
【請求項１】
ユーザ装置（ＵＥ）における測定を実行する方法であって、
隣接セルに対する測定サブフレームパターンと探索信号に対する測定タイミング設定を受信するステップと、
前記測定サブフレームパターンと前記測定タイミング設定の両方を適用するステップであって、前記隣接セルに対する測定サブフレームパターンは前記検索信号に対する前記測定タイミング設定と異なる、ステップと、
前記測定タイミング設定に基づいて測定を実行するために一つ以上のサブフレームを選択するステップと、
前記選択されたサブフレーム上で前記測定を実行するステップとを含む、測定実行方法。
【請求項２】
前記測定が実行されるサブフレームは、前記測定サブフレームパターンと前記測定タイミング設定との間の少なくとも一つ以上の重なるサブフレームに対応する、請求項１に記載の測定実行方法。
【請求項３】
前記選択するステップは、
前記測定サブフレームパターンに基づいて特定のサブフレームを選択するステップと、
前記選択された特定のサブフレームの中から、前記測定タイミング設定に基づいて前記少なくとも一つ以上のサブフレームを選択するステップとを含む、請求項１に記載の測定実行方法。
【請求項４】
前記測定タイミング設定は、搬送波周波数別に設定される、請求項１に記載の測定実行方法。
【請求項５】
前記隣接セルが非活性状態にある場合、前記探索信号は前記測定を実行するために利用される、請求項１に記載の測定実行方法。
【請求項６】
前記探索信号は、ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）の少なくとも一つに基づく信号である、請求項１に記載の測定実行方法。
【請求項７】
前記測定がＲＳＳＩ（ｒｅｃｅｉｖｅｄ  ｓｉｇｎａｌ  ｓｔｒｅｎｇｔｈ  ｉｎｄｉｃａｔｏｒ）を測定するためである場合、前記測定は、サブフレームの全体ＯＦＤＭシンボル上で実行される、請求項１に記載の測定実行方法。
【請求項８】
測定を実行するユーザ装置（ＵＥ）であって、
隣接セルに対する測定サブフレームパターンと探索信号に対する測定タイミング設定を受信する送受信部と、
前記測定サブフレームパターンと前記測定タイミング設定の両方を適用し、
前記隣接セルに対する測定サブフレームパターンは前記検索信号に対する前記測定タイミング設定と異なり、
前記測定タイミング設定に基づいて測定を実行するために一つ以上のサブフレームを選択し、前記選択されたサブフレーム上で前記測定を実行するプロセッサとを含む、ユーザ装置。
【請求項９】
前記測定が実行されるサブフレームは、前記測定サブフレームパターンと前記測定タイミング設定との間の少なくとも一つ以上の重なるサブフレームに対応する、請求項８に記載のユーザ装置。
【請求項１０】
前記一つ以上のサブフレームを選択するために、
前記プロセッサは、前記測定サブフレームパターンに基づいて特定のサブフレームを選択し、前記選択された特定のサブフレームのうち、前記測定タイミング設定に基づいて前記一つ以上のサブフレームを選択する、請求項８に記載のユーザ装置。
【請求項１１】
前記測定タイミング設定は、搬送波周波数別に設定される、請求項８に記載のユーザ装置。
【請求項１２】
前記隣接セルが非活性状態にある場合、前記探索信号は前記測定の実行に利用される、請求項８に記載のユーザ装置。
【請求項１３】
前記探索信号は、ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）のうちの少なくとも一つに基づく信号である、請求項８に記載のユーザ装置。
【請求項１４】
前記測定がＲＳＳＩ（ｒｅｃｅｉｖｅｄ  ｓｉｇｎａｌ  ｓｔｒｅｎｇｔｈ  ｉｎｄｉｃａｔｏｒ）を測定するためである場合、前記測定は、サブフレームの全体ＯＦＤＭシンボル上で実行される、請求項８に記載のユーザ装置。
【発明の詳細な説明】
【技術分野】
【０００１】
本発明は、移動通信に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”に開示されているように、ＬＴＥにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＤＣＣＨ（Ｐｈｙｓｉｃａｌ  Ｄｏｗｎｌｉｎｋ  Ｃｏｎｔｒｏｌ  Ｃｈａｎｎｅｌ）と、アップリンクチャネルであるＰＵＳＣＨ（Ｐｈｙｓｉｃａｌ  Ｕｐｌｉｎｋ  Ｓｈａｒｅｄ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）と、に分けられる。
【０００４】
一方、次世代移動通信システムでは、セルカバレッジ半径が小さい小規模セル（ｓｍａｌｌ  ｃｅｌｌ）が既存セルのカバレッジ内に追加されることが予想され、小規模セルはより多いトラフィックを処理することが予想される。
【０００５】
しかし、マクロセルのカバレッジ内に小規模セルが過密に配置されると、ＵＥが前記小規模セルを早い時間内に検出しにくい。
【発明の概要】
【発明が解決しようとする課題】
【０００６】
したがって、本明細書の開示は、前述した問題点を解決することを目的とする。
【課題を解決するための手段】
【０００７】
前述した目的を達成するために、本明細書の一開示は、ユーザ装置（ＵＥ）における測定を実行する方法を提供する。前記方法は、隣接セルに対する測定サブフレームパターンと探索信号に対する測定タイミング設定を受信するステップと、前記測定サブフレームパターンと前記測定タイミング設定に基づいて測定を実行する一つ以上のサブフレームを選択するステップと、前記選択されたサブフレーム上で前記隣接セルの探索信号を利用して測定を実行するステップと、を含む。
【０００８】
前記測定が実行されるサブフレームは、前記測定サブフレームパターンと前記測定タイミング設定との間に少なくとも一つ以上の重なるサブフレームに該当する。
【０００９】
前記選択するステップは、前記測定サブフレームパターンに基づいて特定のサブフレームを選択するステップと、前記選択された特定のサブフレームのうち、前記測定タイミング設定に基づいて前記一つ以上のサブフレームを選択するステップとを含む。
【００１０】
前記測定タイミング設定は、搬送波周波数別に設定される。
【００１１】
前記方法は、前記隣接セルが非活性状態にある場合、前記測定実行のためにＣＲＳ（Ｃｅｌｌ−ｓｐｅｃｉｆｉｃ  Ｒｅｆｅｒｅｎｃｅ  Ｓｉｇｎａｌ）の代わりに前記探索信号を利用するステップをさらに含む。
【００１２】
前記探索信号は、ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）のうち一つ以上に基づく信号である。
【００１３】
前記測定がＲＳＳＩ（ｒｅｃｅｉｖｅｄ  ｓｉｇｎａｌ  ｓｔｒｅｎｇｔｈ  ｉｎｄｉｃａｔｏｒ）を測定するためである場合、前記測定は、サブフレームの全体ＯＦＤＭシンボル上で実行される。
【００１４】
前述した目的を達成するために、本明細書の一開示は、測定を実行するユーザ装置（ＵＥ）を提供する。前記ユーザ装置は、隣接セルに対する測定サブフレームパターンと探索信号に対する測定タイミング設定を受信する送受信部と、前記測定サブフレームパターンと前記測定タイミング設定に基づいて測定を実行する一つ以上のサブフレームを選択し、前記選択されたサブフレーム上で前記隣接セルの探索信号を利用して測定を実行するプロセッサと、を含む。
【発明の効果】
【００１５】
本明細書の開示によると、前述した従来技術の問題点が解決される。
【図面の簡単な説明】
【００１６】
【図１】無線通信システムである。
【図２】３ＧＰＰ  ＬＴＥにおいて、ＦＤＤによる無線フレーム（ｒａｄｉｏ  ｆｒａｍｅ）の構造を示す。
【図３】３ＧＰＰ  ＬＴＥにおいて、ＴＤＤによるダウンリンク無線フレームの構造を示す。
【図４】３ＧＰＰ  ＬＴＥにおいて、一つのアップリンクまたはダウンリンクのスロットに対するリソースグリッド（ｒｅｓｏｕｒｃｅ  ｇｒｉｄ）を示す例示図である。
【図５】ダウンリンクサブフレームの構造を示す。
【図６】３ＧＰＰ  ＬＴＥにおいて、アップリンクサブフレームの構造を示す。
【図７】ＦＤＤフレーム内で同期化信号送信のためのフレーム構造を示す。
【図８】ＴＤＤフレームで同期化信号を送信するフレーム構造の例を示す。
【図９】基地局が一つのアンテナポートを使用する場合、ＣＲＳがＲＢにマッピングされるパターンの一例を示す。
【図１０】測定及び測定報告手順を示す。
【図１１】参照信号のうちＣＳＩ−ＲＳがマッピングされるＲＢの一例を示す。
【図１２】次世代無線通信システムになる可能性があるマクロセルと小規模セルの混合された異種ネットワークの環境を示す。
【図１３】基地局間の干渉を解決するためのｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）を示す例示図である。
【図１４】小規模セルが過密に配置された状況を示す例示図である。
【図１５】本明細書の一開示によって小規模セルが探索信号を送信する例を示す。
【図１６】クラスタ内の複数の送信ポイント（ＴＰ）（または、小規模セル）が同じ物理的セル識別子（ＰＣＩＤ）を使用する例を示す。
【図１７ａ】ＣＲＳと探索信号（ＤＳ）のうちどれを利用して測定を実行するかに対する第１の解決方案を示す例示図である。
【図１７ｂ】ＣＲＳと探索信号（ＤＳ）のうちどれを利用して測定を実行するかに対する第１の解決方案をさらに詳細に示す例示図である。
【図１８】測定サブフレームパターンと探索信号測定タイミング設定（ＤＭＴＣ）を両方とも受信する場合、ＵＥが測定を実行するサブフレームを決定する過程を示す。
【図１９ａ】測定サブフレームパターンと探索信号測定タイミング設定（ＤＭＴＣ）の両方ともに基づいて測定を実行するサブフレームを決定する例を示す。
【図１９ｂ】測定サブフレームパターンと探索信号測定タイミング設定（ＤＭＴＣ）の両方ともに基づいて測定を実行するサブフレームを決定する例を示す。
【図２０】セル間に探索信号の送信タイミングが異なる例を示す。
【図２１】本明細書の開示が具現される無線通信システムを示すブロック図である。
【発明を実施するための形態】
【００１７】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００１８】
本明細書で使われる技術的用語は、単に特定の実施例を説明するために使われたものであり、本発明を限定するものではないことに留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、辞書の定義によってまたは前後の文脈によって解釈されなければならず、過度に縮小された意味で解釈されてはならない。
【００１９】
また、本明細書で使われる単数の表現は、文脈上、明白に異なる意味ではない限り、複数の表現を含む。本出願において、“構成される”または“有する”などの用語は、明細書上に記載された複数の構成要素、または複数のステップを必ず全部含むと解釈されてはならず、そのうち一部構成要素または一部ステップは含まないこともあり、または追加的な構成要素またはステップをさらに含むこともあると解釈されなければならない。
【００２０】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２１】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２２】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面外に全ての変更、均等物乃至代替物にまで拡張されると解釈されなければならない。
【００２３】
以下で使われる用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２４】
また、以下で使われる用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００２５】
図１は、無線通信システムである。
【００２６】
図１を参照して分かるように、無線通信システムは、少なくとも一つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００２７】
ＵＥは、通常的に、一つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００２８】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００２９】
一方、無線通信システムは、大いに、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信とＵＥによるアップリンク送信が同時に実行されることができない。アップリンク送信とダウンリンク送信がサブフレーム単位で区分されるＴＤＤシステムにおいて、アップリンク送信とダウンリンク送信は、互いに異なるサブフレームで実行される。
【００３０】
以下、ＬＴＥシステムに対し、より詳細に説明する。
【００３１】
図２は、３ＧＰＰ  ＬＴＥにおいて、ＦＤＤによる無線フレーム（ｒａｄｉｏ  ｆｒａｍｅ）の構造を示す。
【００３２】
図２に示す無線フレームは、３ＧＰＰ  ＴＳ  ３６.２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”の５節を参照することができる。
【００３３】
図２を参照すると、無線フレームは、１０個のサブフレーム（ｓｕｂｆｒａｍｅ）を含み、一つのサブフレームは、２個のスロット（ｓｌｏｔ）を含む。無線フレーム内のスロットは、０から１９までのスロット番号が付けられる。一つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００３４】
無線フレームの構造は、例示に過ぎず、無線フレームに含まれるサブフレームの数またはサブフレームに含まれるスロットの数等は、多様に変更されることができる。
【００３５】
一方、一つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。一つのスロットに含まれるＯＦＤＭシンボルの数は、循環前置（ｃｙｃｌｉｃ  ｐｒｅｆｉｘ：ＣＰ）によって変わることができる。ノーマル（ｎｏｒｍａｌ）ＣＰで、１スロットは７ＯＦＤＭシンボルを含み、拡張（ｅｘｔｅｎｄｅｄ）ＣＰで、１スロットは６ＯＦＤＭシンボルを含む。ここで、ＯＦＤＭシンボルは、３ＧＰＰ  ＬＴＥがダウンリンク（ｄｏｗｎｌｉｎｋ、ＤＬ）でＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用するため、時間領域で一つのシンボル区間（ｓｙｍｂｏｌ  ｐｅｒｉｏｄ）を表現するためのものに過ぎず、多重接続方式や名称に制限をおくものではない。例えば、ＯＦＤＭシンボルは、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボル、シンボル区間など、他の名称で呼ばれることもある。
【００３６】
図３は、３ＧＰＰ  ＬＴＥにおいて、ＴＤＤによるダウンリンク無線フレームの構造を示す。
【００３７】
これは３ＧＰＰ  ＴＳ  ３６．２１１  Ｖ１０．４．０（２０１１−１２）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  １０）”の４節を参照することができ、ＴＤＤ（Ｔｉｍｅ  Ｄｉｖｉｓｉｏｎ  Ｄｕｐｌｅｘ）のためのものである。
【００３８】
インデックス＃１とインデックス＃６を有するサブフレームは、スペシャルサブフレームといい、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、ＵＥでの初期セル探索、同期化またはチャネル推定に使われる。ＵｐＰＴＳは、基地局でのチャネル推定とＵＥのアップリンク送信同期を合わせるときに使われる。ＧＰは、アップリンクとダウンリンクとの間にダウンリンク信号の多重経路遅延によりアップリンクで発生する干渉を除去するための区間である。
【００３９】
ＴＤＤでは、一つの無線フレームにＤＬ（ｄｏｗｎｌｉｎｋ）サブフレームとＵＬ（Ｕｐｌｉｎｋ）サブフレームが共存する。表１は、無線フレームの設定（ｃｏｎｆｉｇｕｒａｔｉｏｎ）の一例を示す。
【００４０】
【表１】
2019205170.tif 000003
【００４１】
‘Ｄ’はＤＬサブフレームを示し、‘Ｕ’はＵＬサブフレームを示し、‘Ｓ’はスペシャルサブフレームを示す。基地局からＵＬ−ＤＬ設定を受信すると、ＵＥは、無線フレームの設定によって、どのサブフレームがＤＬサブフレームかまたはＵＬサブフレームかを知ることができる。
【００４２】
【表２】
2019205170.tif 000004
【００４３】
図４は、３ＧＰＰ  ＬＴＥにおいて、一つのアップリンクまたはダウンリンクのスロットに対するリソースグリッド（ｒｅｓｏｕｒｃｅ  ｇｒｉｄ）を示す例示図である。
【００４４】
図４を参照すると、スロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮＲＢ個のリソースブロック（ＲＢ）を含む。例えば、ＬＴＥシステムにおいて、リソースブロック（ＲＢ）の個数、即ち、ＮＲＢは、６〜１１０のうちいずれか一つである。
【００４５】
リソースブロック（ｒｅｓｏｕｒｃｅ  ｂｌｏｃｋ：ＲＢ）は、リソース割当単位であって、一つのスロットで複数の副搬送波を含む。例えば、一つのスロットが時間領域で７個のＯＦＤＭシンボルを含み、リソースブロックが周波数領域で１２個の副搬送波を含む場合、一つのリソースブロックは、７×１２個のリソース要素（ｒｅｓｏｕｒｃｅ  ｅｌｅｍｅｎｔ：ＲＥ）を含むことができる。
【００４６】
一方、一つのＯＦＤＭシンボルにおける副搬送波の数は、１２８、２５６、５１２、１０２４、１５３６及び２０４８の中から一つを選定して使用することができる。
【００４７】
図４の３ＧＰＰ  ＬＴＥにおいて、一つのアップリンクスロットに対するリソースグリッドは、ダウンリンクスロットに対するリソースグリッドにも適用されることができる。
【００４８】
図５は、ダウンリンクサブフレームの構造を示す。
【００４９】
図５では、ノーマルＣＰを仮定して例示的に一つのスロット内に７ＯＦＤＭシンボルが含むことを図示した。
【００５０】
ＤＬ（ｄｏｗｎｌｉｎｋ）サブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個のＯＦＤＭシンボルを含むが、制御領域に含まれるＯＦＤＭシンボルの個数は変わることができる。制御領域にはＰＤＣＣＨ（Ｐｈｙｓｉｃａｌ  Ｄｏｗｎｌｉｎｋ  Ｃｏｎｔｒｏｌ  Ｃｈａｎｎｅｌ）及び他の制御チャネルが割り当てられ、データ領域にはＰＤＳＣＨが割り当てられる。
【００５１】
３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）及びＰＵＳＣＨ（Ｐｈｙｓｉｃａｌ  Ｕｐｌｉｎｋ  Ｓｈａｒｅｄ  Ｃｈａｎｎｅｌ）と、制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）及びＰＵＣＣＨ（Ｐｈｙｓｉｃａｌ  Ｕｐｌｉｎｋ  Ｃｏｎｔｒｏｌ  Ｃｈａｎｎｅｌ）と、に分けられる。
【００５２】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。無線機器は、まず、ＰＣＦＩＣＨ上にＣＦＩを受信した後、ＰＤＣＣＨをモニタリングする。
【００５３】
ＰＤＣＣＨと違って、ＰＣＦＩＣＨは、ブラインド復号を使用せずに、サブフレームの固定されたＰＣＦＩＣＨリソースを介して送信される。
【００５４】
ＰＨＩＣＨは、ＵＬ  ＨＡＲＱ（ｈｙｂｒｉｄ  ａｕｔｏｍａｔｉｃ  ｒｅｐｅａｔ  ｒｅｑｕｅｓｔ）のためのＡＣＫ（ｐｏｓｉｔｉｖｅ−ａｃｋｎｏｗｌｅｄｇｅｍｅｎｔ）／ＮＡＣＫ（ｎｅｇａｔｉｖｅ−ａｃｋｎｏｗｌｅｄｇｅｍｅｎｔ）信号を伝送する。無線機器により送信されるＰＵＳＣＨ上のＵＬ（ｕｐｌｉｎｋ）データに対するＡＣＫ／ＮＡＣＫ信号は、ＰＨＩＣＨ上に送信される。
【００５５】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、無線機器が基地局との通信に必須的なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。一方、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００５６】
ＰＤＣＣＨは、ＤＬ−ＳＣＨ（ｄｏｗｎｌｉｎｋ−ｓｈａｒｅｄ  ｃｈａｎｎｅｌ）のリソース割当及び送信フォーマット、ＵＬ−ＳＣＨ（ｕｐｌｉｎｋ  ｓｈａｒｅｄ  ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位層制御メッセージのリソース割当、任意のＵＥグループ内の個別ＵＥに対する送信パワー制御命令のセット及びＶｏＩＰ（ｖｏｉｃｅ  ｏｖｅｒ  ｉｎｔｅｒｎｅｔ  ｐｒｏｔｏｃｏｌ）の活性化などを伝送することができる。複数のＰＤＣＣＨが制御領域内で送信されることができ、ＵＥは、複数のＰＤＣＣＨをモニタリングすることができる。ＰＤＣＣＨは、一つまたは複数の連続的なＣＣＥ（ｃｏｎｔｒｏｌ  ｃｈａｎｎｅｌ  ｅｌｅｍｅｎｔｓ）のアグリゲーション（ａｇｇｒｅｇａｔｉｏｎ）上に送信される。ＣＣＥは、無線チャネルの状態による符号化率をＰＤＣＣＨに提供するために使われる論理的な割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によって、ＰＤＣＣＨのフォーマット及び可能なＰＤＣＣＨのビット数が決定される。
【００５７】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ：ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令のセット及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００５８】
基地局は、ＵＥに送るＤＣＩによって、ＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣには、ＰＤＣＣＨのオーナ（ｏｗｎｅｒ）や用途によって固有な識別子（ｒａｄｉｏ  ｎｅｔｗｏｒｋ  ｔｅｍｐｏｒａｒｙ  ｉｄｅｎｔｉｆｉｅｒ：ＲＮＴＩ）がマスキングされる。特定ＵＥのためのＰＤＣＣＨの場合、ＵＥの固有識別子、例えば、Ｃ−ＲＮＴＩ（ｃｅｌｌ−ＲＮＴＩ）がＣＲＣにマスキングされることができる。または、ページングメッセージのためのＰＤＣＣＨの場合、ページング指示識別子、例えば、Ｐ−ＲＮＴＩ（ｐａｇｉｎｇ−ＲＮＴＩ）がＣＲＣにマスキングされることができる。システム情報ブロック（ｓｙｓｔｅｍ  ｉｎｆｏｒｍａｔｉｏｎ  ｂｌｏｃｋ：ＳＩＢ）のためのＰＤＣＣＨの場合、システム情報識別子、ＳＩ−ＲＮＴＩ（ｓｙｓｔｅｍ  ｉｎｆｏｒｍａｔｉｏｎ−ＲＮＴＩ）がＣＲＣにマスキングされることができる。ＵＥのランダムアクセスプリアンブルの送信に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされることができる。
【００５９】
３ＧＰＰ  ＬＴＥでは、ＰＤＣＣＨの検出のためにブラインド復号を使用する。ブラインド復号は、受信されるＰＤＣＣＨ（これを候補（ｃａｎｄｉｄａｔｅ）ＰＤＣＣＨという）のＣＲＣ（Ｃｙｃｌｉｃ  Ｒｅｄｕｎｄａｎｃｙ  Ｃｈｅｃｋ）に所望の識別子をデマスキングし、ＣＲＣエラーをチェックすることで、該当ＰＤＣＣＨが自分の制御チャネルかどうかを確認する方式である。基地局は、無線機器に送るＤＣＩによってＰＤＣＣＨフォーマットを決定した後、ＤＣＩにＣＲＣを付け、ＰＤＣＣＨのオーナ（ｏｗｎｅｒ）や用途によって固有な識別子（ＲＮＴＩ）をＣＲＣにマスキングする。
【００６０】
一方、端末がＣ−ＲＮＴＩに基づいてＰＤＣＣＨをモニタリングする時、ＰＤＳＣＨの送信モード（ｔｒａｎｓｍｉｓｓｉｏｎ  ｍｏｄｅ：ＴＭ）によって、モニタリングするＤＣＩフォーマットと検索空間が決定される。以下の表は、Ｃ−ＲＮＴＩが設定されたＰＤＣＣＨモニタリングの例を示す。
【００６１】
【表３−１】
2019205170.tif 000005
【表３−２】
2019205170.tif 000006
【００６２】
ＤＣＩフォーマットの用途は、以下の表のように区分される。
【００６３】
【表４】
2019205170.tif 000007
【００６４】
図６は、３ＧＰＰ  ＬＴＥにおいて、アップリンクサブフレームの構造を示す。
【００６５】
図６を参照すると、アップリンクサブフレームは、周波数領域で制御領域とデータ領域とに分けられる。制御領域には、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域には、データ（場合によって、制御情報も共に送信されることができる）が送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。
【００６６】
一つのＵＥに対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準にして変更される。これをＰＵＣＣＨに割り当てられるＲＢ対がスロット境界で周波数がホッピングされた（ｆｒｅｑｕｅｎｃｙ−ｈｏｐｐｅｄ）という。
【００６７】
ＵＥがアップリンク制御情報を時間によって互いに異なる副搬送波を介して送信することによって、周波数ダイバーシティ（ｆｒｅｑｕｅｎｃｙ  ｄｉｖｅｒｓｉｔｙ）利得を得ることができる。ｍは、サブフレーム内でＰＵＣＣＨに割り当てられたリソースブロック対の論理的な周波数領域位置を示す位置インデックスである。
【００６８】
ＰＵＣＣＨ上に送信されるアップリンク制御情報には、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）、ダウンリンクチャネル状態を示すＣＱＩ（ｃｈａｎｎｅｌ  ｑｕａｌｉｔｙ  ｉｎｄｉｃａｔｏｒ）、アップリンク無線リソース割当要求であるＳＲ（ｓｃｈｅｄｕｌｉｎｇ  ｒｅｑｕｅｓｔ）などがある。
【００６９】
ＰＵＳＣＨは、トランスポートチャネル（ｔｒａｎｓｐｏｒｔ  ｃｈａｎｎｅｌ）であるＵＬ−ＳＣＨにマッピングされる。ＰＵＳＣＨ上に送信されるアップリンクデータは、送信時間区間（ＴＴＩ）中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。または、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などがある。または、アップリンクデータは、制御情報のみで構成されることもできる。
【００７０】
＜キャリアアグリゲーション＞
以下、キャリアアグリゲーション（ｃａｒｒｉｅｒ  ａｇｇｒｅｇａｔｉｏｎ：ＣＡ）システムに対して説明する。
【００７１】
キャリアアグリゲーションシステムは、複数のコンポーネントキャリア（ｃｏｍｐｏｎｅｎｔ  ｃａｒｒｉｅｒ：ＣＣ）をアグリゲーションするものを意味する。このようなキャリアアグリゲーションにより、既存のセルの意味が変更された。キャリアアグリゲーションによると、セルは、ダウンリンクコンポーネントキャリアとアップリンクコンポーネントキャリアとの組合せ、または単独のダウンリンクコンポーネントキャリアを意味する。
【００７２】
また、キャリアアグリゲーションにおいて、セルは、プライマリセル（ｐｒｉｍａｒｙ  ｃｅｌｌ）、セカンダリセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＵＥが基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するセル、またはハンドオーバ過程でプライマリセルに指示されたセルを意味する。セカンダリセルは、セカンダリ周波数で動作するセルを意味し、ＲＲＣ接続が確立されると設定され、追加的な無線リソースの提供に使われる。
【００７３】
前述したように、キャリアアグリゲーションシステムでは、単一搬送波システムと違って、複数のコンポーネントキャリア（ＣＣ）、即ち、複数のサービングセルをサポートすることができる。
【００７４】
このようなキャリアアグリゲーションシステムは、交差搬送波スケジューリングをサポートすることができる。交差搬送波スケジューリング（ｃｒｏｓｓ−ｃａｒｒｉｅｒ  ｓｃｈｅｄｕｌｉｎｇ）は、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。
【００７５】
＜同期信号＞
一方、ＬＴＥ／ＬＴＥ−Ａシステムでは、セル探索過程（Ｃｅｌｌ  Ｓｅａｒｃｈ  Ｐｒｏｃｅｄｕｒｅ）で同期信号（ＳＳ：Ｓｙｎｃｈｒｏｎｉｚａｔｉｏｎ  Ｓｉｇｎａｌ）を介してセルとの同期が取得される。
【００７６】
以下、図面を参照して同期信号に対して詳細に説明する。
【００７７】
図７は、ＦＤＤフレーム内で同期化信号送信のためのフレーム構造を示す。
【００７８】
スロット番号及びサブフレーム番号は、０から始まる。ＵＥは、基地局から受信される同期化信号（ｓｙｎｃｈｒｏｎｉｚａｔｉｏｎ  ｓｉｇｎａｌ）に基づいて時間及び周波数同期を合わせることができる。３ＧＰＰ  ＬＴＥ−Ａの同期化信号は、セル探索を実行する時に使われ、１次同期化信号（ＰＳＳ；ｐｒｉｍａｒｙ  ｓｙｎｃｈｒｏｎｉｚａｔｉｏｎ  ｓｉｇｎａｌ）及び２次同期化信号（ＳＳＳ；ｓｅｃｏｎｄａｒｙ  ｓｙｎｃｈｒｏｎｉｚａｔｉｏｎ  ｓｉｇｎａｌ）に区分されることができる。３ＧＰＰ  ＬＴＥ−Ａの同期化信号は、３ＧＰＰ  ＴＳ  Ｖ１０．２．０（２０１１−０６）の６．１１節を参照することができる。
【００７９】
ＰＳＳは、ＯＦＤＭシンボル同期またはスロット同期を得るために使われ、物理層セルＩＤ（ＰＣＩ；ｐｈｙｓｉｃａｌ−ｌａｙｅｒ  ｃｅｌｌ  ｉｄｅｎｔｉｔｙ）と関連している。そして、ＳＳＳは、フレーム同期を得るために使われる。また、ＳＳＳは、ＣＰ長さ検出、物理層セルグループＩＤを取得するようにために使われる。
【００８０】
同期化信号は、ＲＡＴ（ｒａｄｉｏ  ａｃｃｅｓｓ  ｔｅｃｈｎｏｌｏｇｙ）間の測定（ｉｎｔｅｒ−ＲＡＴ  ｍｅａｓｕｒｅｍｅｎｔ）の容易さのために、ＧＳＭ（ｇｌｏｂａｌ  ｓｙｓｔｅｍ  ｆｏｒ  ｍｏｂｉｌｅ  ｃｏｍｍｕｎｉｃａｔｉｏｎ）フレーム長さである４．６ｍｓを考慮してサブフレーム０番とサブフレーム５番で各々送信されることができ、フレームに対する境界はＳＳＳを介して検出可能である。より具体的には、ＦＤＤシステムにおいて、ＰＳＳは、０番目のスロット、１０番目のスロットの最後のＯＦＤＭシンボルで送信され、ＳＳＳは、ＰＳＳの直前ＯＦＤＭシンボルで送信される。
【００８１】
同期化信号は、３個のＰＳＳと１６８個のＳＳＳとの組合せを介して総５０４個の物理層セル識別子（ｐｈｙｓｉｃａｌ  ｃｅｌｌ  ＩＤ）のうちいずれか一つを送信することができる。ＰＢＣＨ（ｐｈｙｓｉｃａｌ  ｂｒｏａｄｃａｓｔ  ｃｈａｎｎｅｌ）は、第１のスロットの前方部の４個のＯＦＤＭシンボルで送信される。同期化信号及びＰＢＣＨは、システム帯域幅内の中央の６ＲＢ内で送信され、送信帯域幅に関係なしにＵＥが検出または復号できるようにする。ＰＳＳが送信される物理チャネルをＰ−ＳＣＨといい、ＳＳＳが送信される物理チャネルをＳ−ＳＣＨという。
【００８２】
図８は、ＴＤＤフレームで同期化信号を送信するフレーム構造の例を示す。
【００８３】
ＴＤＤフレームでは、ＰＳＳが３番目のスロット及び１３番目のスロットの３番目のＯＦＤＭシンボルで送信される。ＳＳＳは、ＰＳＳが送信されるＯＦＤＭシンボルで３個のＯＦＤＭシンボル前に送信される。ＰＢＣＨは、１番目のサブフレームの第２のスロットの前方部の４ＯＦＤＭシンボルで送信される。
【００８４】
＜参照信号＞
一方、以下、参照信号（ｒｅｆｅｒｅｎｃｅ  ｓｉｇｎａｌ、ＲＳ）に対して説明する。
【００８５】
一般的に、送信情報、例えば、データは、無線チャネルを介して送信されている間に容易に歪曲、変更される。したがって、このような送信情報をエラーなく復調するためには参照信号が必要である。参照信号は、送信機と受信機との間にあらかじめ知っている信号であって、送信情報と共に送信される。送信機から送信される送信情報は、送信アンテナ毎にまたはレイヤ毎に対応するチャネルを経由するため、参照信号は、各送信アンテナ別またはレイヤ別に割り当てられることができる。各送信アンテナ別またはレイヤ別の参照信号は、時間、周波数、コードなどのリソースを利用して区別されることができる。参照信号は、二つの目的、即ち、送信情報の復調（ｄｅｍｏｄｕｌａｔｉｏｎ）とチャネル推定のために使われることができる。
【００８６】
ダウンリンク参照信号は、セル特定参照信号（ｃｅｌｌ−ｓｐｅｃｉｆｉｃ  ＲＳ、ＣＲＳ）、ＭＢＳＦＮ（ｍｕｌｔｉｍｅｄｉａ  ｂｒｏａｄｃａｓｔ  ａｎｄ  ｍｕｌｔｉｃａｓｔ  ｓｉｎｇｌｅ  ｆｒｅｑｕｅｎｃｙ  ｎｅｔｗｏｒｋ）参照信号、端末特定参照信号（ＵＥ−ｓｐｅｃｉｆｉｃ  ＲＳ、ＵＲＳ）、ポジショニング参照信号（ｐｏｓｉｔｉｏｎｉｎｇ  ＲＳ、ＰＲＳ）及びＣＳＩ参照信号（ＣＳＩ−ＲＳ）に区分されることができる。ＣＲＳは、セル内の全てのＵＥに送信される参照信号であって、共通参照信号（Ｃｏｍｍｏｎ  Ｒｅｆｅｒｅｎｃｅ  Ｓｉｇｎａｌ）とも呼ばれる。ＣＲＳは、ＣＱＩフィードバックに対するチャネル測定とＰＤＳＣＨに対するチャネル推定に使われることができる。ＭＢＳＦＮ参照信号は、ＭＢＳＦＮ送信のために割り当てられたサブフレームで送信されることができる。ＵＲＳは、セル内の特定ＵＥまたは特定ＵＥグループが受信する参照信号であって、復調参照信号（ｄｅｍｏｄｕｌａｔｉｏｎ  ＲＳ、ＤＭ−ＲＳ）とも呼ばれる。ＤＭ−ＲＳは、特定ＵＥまたは特定ＵＥグループのデータ復調に主に使われる。ＰＲＳは、ＵＥの位置推定に使われることができる。ＣＳＩ−ＲＳは、ＬＴＥ−Ａ  ＵＥのＰＤＳＣＨに対するチャネル推定に使われる。ＣＳＩ−ＲＳは、周波数領域または時間領域で比較的スパースに（ｓｐａｒｓｅ）配置され、一般サブフレームまたはＭＢＳＦＮサブフレームのデータ領域では省略（ｐｕｎｃｔｕｒｅｄ）されることができる。
【００８７】
図９は、基地局が一つのアンテナポートを使用する場合、ＣＲＳがＲＢにマッピングされるパターンの一例を示す。
【００８８】
図９を参照すると、Ｒ０は、基地局のアンテナポート番号０により送信されるＣＲＳがマッピングされるＲＥを示す。
【００８９】
ＣＲＳは、ＰＤＳＣＨ送信をサポートするセル内の全てのダウンリンクサブフレームで送信される。ＣＲＳは、アンテナポート０乃至３上に送信されることができ、ＣＲＳは、Δｆ＝１５ｋＨｚに対してのみ定義されることができる。セルＩＤ（ｉｄｅｎｔｉｔｙ）に基づくシード（ｓｅｅｄ）値で生成された疑似ランダムシーケンス（ｐｓｅｕｄｏ−ｒａｎｄｏｍ  ｓｅｑｕｅｎｃｅ）ｒl、ns（ｍ）を複素値変調シンボル（ｃｏｍｐｌｅｘ−ｖａｌｕｅｄ  ｍｏｄｕｌａｔｉｏｎ  ｓｙｍｂｏｌ）ａ(p)k、lでリソースマッピングする。ここで、ｎsは一つの無線フレーム内のスロット番号であり、ｐはアンテナポートであり、ｌは、ロット内のＯＦＤＭシンボル番号である。ｋは副搬送波インデックスである。ｌ、ｋは、以下の数式のように表現される。
【００９０】
【数１】
2019205170.tif 000008
【００９１】
前記数式において、ｐはアンテナポートを示し、ｎsはスロット番号０または１を示す。
【００９２】
ｋは、セルＩＤ（ＮCellID）によって、６個のシフトされたインデックスを有する。したがって、６の倍数である０、６、１２のセルＩＤを有するセルは、互いに同じ副搬送波位置ｋでＣＲＳを送信する。
【００９３】
前記数式に示すｌは、アンテナポートｐによって決定され、可能なｌの値は、０、４、７、１１である。したがって、ＣＲＳは、０、４、７、１１シンボル上で送信される。
【００９４】
一つのアンテナポートのＣＲＳに割り当てられたリソース要素（ＲＥ）は、他のアンテナポートの送信に使われることができず、ゼロ（ｚｅｒｏ）に設定されなければならない。また、ＭＢＳＦＮ（ｍｕｌｔｉｃａｓｔ−ｂｒｏａｄｃａｓｔ  ｓｉｎｇｌｅ  ｆｒｅｑｕｅｎｃｙ  ｎｅｔｗｏｒｋ）サブフレームにおけるＣＲＳは、ｎｏｎ−ＭＢＳＦＮ領域でのみ送信される。
【００９５】
図１０は、測定及び測定報告手順を示す。
【００９６】
移動通信システムにおいて、ＵＥ１００の移動性（ｍｏｂｉｌｉｔｙ）サポートは必須である。したがって、ＵＥ１００は、現在サービスを提供するサービングセル（ｓｅｒｖｉｎｇ  ｃｅｌｌ）に対する品質及び隣接セルに対する品質を持続的に測定する。ＵＥ１００は、測定結果を適切な時間にネットワークに報告し、ネットワークは、ハンドオーバなどを介してＵＥに最適の移動性を提供する。一般的に、このような目的の測定を無線リソース管理測定（ｒａｄｉｏ  ｒｅｓｏｕｒｃｅ  ｍａｎａｇｅｍｅｎｔ：ＲＲＭ）という。
【００９７】
一方、ＵＥ１００は、ＣＲＳに基づいてプライマリセル（Ｐｃｅｌｌ）のダウンリンク品質をモニタリングする。これをＲＬＭ（Ｒａｄｉｏ  Ｌｉｎｋ  Ｍｏｎｉｔｏｒｉｎｇ）という。ＲＬＭのために、ＵＥ１００は、ダウンリンク品質を推定し、前記推定されたダウンリンク品質を閾値、例えば、Ｑｏｕｔ及びＱｉｎと比較する。前記閾値Ｑｏｕｔは、ダウンリンクが安定的に受信されることができないレベルに定義され、これはＰＣＦＩＣＨエラーを考慮してＰＤＣＣＨ送信の１０％エラーに該当する。前記閾値Ｑｉｎは、ダウンリンクがＱｏｕｔに比べて著しく信頼できる水準に定義され、これはＰＣＦＩＣＨエラーを考慮してＰＤＣＣＨ送信の２％エラーに該当する。
【００９８】
図８ａを参照して分かるように、前記サービングセル２００ａ及び隣接セル２００ｂがＵＥ１００に各々ＣＲＳ（Ｃｅｌｌ−ｓｐｅｃｉｆｉｃ  Ｒｅｆｅｒｅｎｃｅ  Ｓｉｇｎａｌ）を送信すると、前記ＵＥ１００は、前記ＣＲＳを介して測定を実行し、その測定結果を含むＲＲＣ測定報告メッセージをサービングセル２００ａに送信する。
【００９９】
このとき、ＵＥ１００は、下記の三つの方法により測定を実行することができる。
【０１００】
１）ＲＳＲＰ（ｒｅｆｅｒｅｎｃｅ  ｓｉｇｎａｌ  ｒｅｃｅｉｖｅｄ  ｐｏｗｅｒ）：全帯域にわたって送信されるＣＲＳを運搬する全てのＲＥの平均受信電力を示す。このとき、ＣＲＳの代わりにＣＳＩ  ＲＳを運搬する全てのＲＥの平均受信電力を測定することもできる。
【０１０１】
２）ＲＳＳＩ（ｒｅｃｅｉｖｅｄ  ｓｉｇｎａｌ  ｓｔｒｅｎｇｔｈ  ｉｎｄｉｃａｔｏｒ）：全帯域で測定された受信電力を示す。ＲＳＳＩは、信号、干渉（ｉｎｔｅｒｆｅｒｅｎｃｅ）、熱雑音（ｔｈｅｒｍａｌ  ｎｏｉｓｅ）を全て含む。
【０１０２】
３）ＲＳＲＱ（ｒｅｆｅｒｅｎｃｅ  ｓｙｍｂｏｌ  ｒｅｃｅｉｖｅｄ  ｑｕａｌｉｔｙ）：ＣＱＩを示し、測定帯域幅（ｂａｎｄｗｉｄｔｈ）またはサブバンドによるＲＳＲＰ／ＲＳＳＩにより決定されることができる。即ち、ＲＳＲＱは、信号対雑音干渉比（ＳＩＮＲ；ｓｉｇｎａｌ−ｔｏ−ｎｏｉｓｅ  ｉｎｔｅｒｆｅｒｅｎｃｅ  ｒａｔｉｏ）を意味する。ＲＳＲＰは、十分な移動性（ｍｏｂｉｌｉｔｙ）情報を提供することができないため、ハンドオーバまたはセル再選択（ｃｅｌｌ  ｒｅｓｅｌｅｃｔｉｏｎ）過程ではＲＳＲＰの代わりにＲＳＲＱが使われることができる。
【０１０３】
ＲＳＲＱ＝ＲＳＳＩ／ＲＳＳＰとして算出されることができる。
【０１０４】
一方、ＵＥ１００は、前記測定のために前記サービングセル１００ａから測定設定（ｍｅａｓｕｒｅｍｅｎｔ  ｃｏｎｆｉｇｕｒａｔｉｏｎ；以下、‘ｍｅａｓｃｏｎｆｉｎｇ’ともいう）情報エレメント（ＩＥ：Ｉｎｆｏｒｍａｔｉｏｎ  Ｅｌｅｍｅｎｔ）を受信する。測定設定情報エレメント（ＩＥ）を含むメッセージを測定設定メッセージという。ここで、前記測定設定情報エレメント（ＩＥ）は、ＲＲＣ接続再設定メッセージを介して受信されることもできる。ＵＥは、測定結果が測定設定情報内の報告条件を満たす場合、測定結果を基地局に報告する。測定結果を含むメッセージを測定報告メッセージという。
【０１０５】
前記測定設定ＩＥは、測定オブジェクト（Ｍｅａｓｕｒｅｍｅｎｔ  ｏｂｊｅｃｔ）情報を含むことができる。前記測定オブジェクト情報は、ＵＥが測定を実行するオブジェクトに対する情報である。測定オブジェクトは、セル内測定の対象であるｉｎｔｒａ−ｆｒｅｑｕｅｎｃｙ測定対象、セル間測定の対象であるｉｎｔｅｒ−ｆｒｅｑｕｅｎｃｙ測定対象、及びｉｎｔｅｒ−ＲＡＴ測定の対象であるｉｎｔｅｒ−ＲＡＴ測定対象のうち少なくともいずれか一つを含む。例えば、ｉｎｔｒａ−ｆｒｅｑｕｅｎｃｙ測定対象は、サービングセルと同じ周波数バンドを有する周辺セルを指示し、ｉｎｔｅｒ−ｆｒｅｑｕｅｎｃｙ測定対象は、サービングセルと異なる周波数バンドを有する周辺セルを指示し、ｉｎｔｅｒ−ＲＡＴ測定対象は、サービングセルのＲＡＴと異なるＲＡＴの周辺セルを指示することができる。
【０１０６】
具体的には、前記測定設定ＩＥは、以下の表のようなＩＥ（情報エレメント）を含む。
【０１０７】
【表５】
2019205170.tif 000009
【０１０８】
前記Ｍｅａｓｕｒｅｍｅｎｔ  ｏｂｊｅｃｔｓ  ＩＥ内には、除去されるｍｅａｓＯｂｊｅｃｔのリストを示すｍｅａｓＯｂｊｅｃｔＴｏＲｅｍｏｖｅＬｉｓｔと、新しく追加され、または修正されるリストを示すｍｅａｓＯｂｊｅｃｔＴｏＡｄｄＭｏｄＬｉｓｔとが含まれる。
【０１０９】
ｍｅａｓＯｂｊｅｃｔには、通信技術によって、ＭｅａｓＯｂｊｅｃｔＣＤＭＡ２０００、ＭｅａｓＯｂｊｅｃｔＥＵＴＲＡ、ＭｅａｓＯｂｊｅｃｔＧＥＲＡＮなどが含まれる。
【０１１０】
一方、ＭｅａｓＯｂｊｅｃｔＥＵＴＲＡ  ＩＥは、Ｅ−ＵＴＲＡセル測定に対するイントラ周波数（ｉｎｔｒａ−ｆｒｅｑｕｅｎｃｙ）またはインター周波数（ｉｎｔｅｒ−ｆｒｅｑｕｅｎｃｙ）のために適用される情報を含む。ＭｅａｓＯｂｊｅｃｔＥＵＴＲＡ  ＩＥを表で示すと、以下の通りである。
【０１１１】
【表６】
2019205170.tif 000010
【０１１２】
ＭｅａｓＯｂｊｅｃｔＥＵＴＲＡ  ＩＥをより具体的に示すと、以下の通りである。
【０１１３】
【表７】
2019205170.tif 000011
【０１１４】
以上のように、ＭｅａｓＯｂｊｅｃｔＥＵＴＲＡ  ＩＥは、隣接セルの設定情報（即ち、ＮｅｉｇｈＣｅｌｌＣｏｎｆｉｇ）と、隣接セルに対する測定実行に適用される時間ドメイン測定リソース制限パターン（Ｔｉｍｅ  ｄｏｍａｉｎ  ｍｅａｓｕｒｅｍｅｎｔ  ｒｅｓｏｕｒｃｅ  ｒｅｓｔｉｒｃｔｉｏｎ  ｐａｔｔｅｒｎ）（即ち、隣接セルの測定サブフレームパターンまたはｍｅａｓＳｕｂｆｒａｍｅＰａｔｔｅｒｎＮｅｉｇｈ）と、そのパターンが適用されるセルリスト（即ち、ｍｅａｓＳｕｂｆｒａｍｅＣｅｌｌＬｉｓｔ）と、を含む。
【０１１５】
一方、ＵＥ１００は、図示されているように、無線リソース設定（Ｒａｄｉｏ  Ｒｅｓｏｕｒｃｅ  Ｃｏｎｆｉｇｕｒａｔｉｏｎ）情報エレメント（ＩＥ）も受信する。
【０１１６】
前記無線リソース設定（Ｒａｄｉｏ  Ｒｅｓｏｕｒｃｅ  Ｃｏｎｆｉｇｕｒａｔｉｏｎ  Ｄｅｄｉｃａｔｅｄ）情報エレメント（ＩＥ：Ｉｎｆｏｒｍａｔｉｏｎ  Ｅｌｅｍｅｎｔ）は、無線ベアラ（Ｒａｄｉｏ  Ｂｅａｒｅｒ）を設定／修正／解除し、またはＭＡＣ構成を修正する等のために使われる。前記無線リソース設定ＩＥは、サブフレームパターン情報を含む。前記サブフレームパターン情報は、サービングセル（例えば、プライマリセル）に対するＲＳＲＰ、ＲＳＲＱを測定することに対する時間ドメイン上の測定リソース制限パターンに対する情報である。
【０１１７】
前記無線リソース設定（Ｒａｄｉｏ  Ｒｅｓｏｕｒｃｅ  Ｃｏｎｆｉｇｕｒａｔｉｏｎ）ＩＥは、以下の表のようなフィールドを含む。
【０１１８】
【表８】
2019205170.tif 000012
【０１１９】
前記ＲａｄｉｏＲｅｓｏｕｒｃｅＣｏｎｆｉｇＤｅｄｉｃａｔｅｄフィールドは、以下のような因子を含む。
【０１２０】
【表９】
2019205170.tif 000013
【０１２１】
以上で説明したように、ＲａｄｉｏＲｅｓｏｕｒｃｅＣｏｎｆｉｇＤｅｄｉｃａｔｅｄフィールド内には、プライマリセル（ＰＣｅｌｌ）（または、サービングセル）に対する測定（ＲＳＲＰ、ＲＳＲＱ）を実行することに適用される時間ドメイン測定リソース制限パターン（即ち、サービングセルの測定サブフレームパターン）を示すｍｅａｓＳｕｂｆｒａｍｅＰａｔｔｅｒｎＰＣｅｌｌまたはｍｅａｓＳｕｂｆｒａｍｅＰａｔｔｅｒｎ−Ｓｅｒｖが含まれている。
【０１２２】
図１１は、参照信号のうちＣＳＩ−ＲＳがマッピングされるＲＢの一例を示す。
【０１２３】
ＣＳＩ−ＲＳは、ＬＴＥ−Ａ端末のＰＤＳＣＨに対するチャネル推定、チャネル情報生成のためのチャネル測定に使われる。ＣＳＩ−ＲＳは、周波数領域または時間領域で比較的スパースに（ｓｐａｒｓｅ）配置され、一般サブフレームまたはＭＢＳＦＮサブフレームのデータ領域では省略（ｐｕｎｃｔｕｒｅｄ）されることができる。ＣＳＩの推定を介して、必要な場合、ＣＱＩ、ＰＭＩ及びＲＩなどが端末から報告されることができる。
【０１２４】
ＣＳＩ−ＲＳは、１個、２個、４個または８個のアンテナポートを介して送信される。この時に使われるアンテナポートは、各々、ｐ＝１５、ｐ＝１５、１６、ｐ＝１５、．．．．、１８及びｐ＝１５、．．．．、２２である。即ち、ＣＳＩ−ＲＳは、１、２、４、８個のアンテナポートを介して送信されることができる。ＣＳＩ−ＲＳは、副搬送波間隔Δｆ＝１５ｋＨｚに対してのみ定義されることができる。ＣＳＩ−ＲＳは、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ１０．１．０（２０１１−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の６．１０．５節を参照することができる。
【０１２５】
ＣＳＩ−ＲＳの送信において、異種ネットワーク（ＨｅｔＮｅｔ；ｈｅｔｅｒｏｇｅｎｅｏｕｓ  ｎｅｔｗｏｒｋ）環境を含んでマルチセル環境でセル間干渉（ＩＣＩ；ｉｎｔｅｒ−ｃｅｌｌ  ｉｎｔｅｒｆｅｒｅｎｃｅ）を減らすために、最大３２個の互いに異なる構成（ｃｏｎｆｉｇｕｒａｔｉｏｎ）が提案されることができる。ＣＳＩ−ＲＳ構成は、セル内のアンテナポートの個数及びＣＰによって互いに異なり、隣接したセルは、最大限に異なる構成を有することができる。また、ＣＳＩ−ＲＳ構成は、フレーム構造によって、ＦＤＤフレームとＴＤＤフレームの両方ともに適用する場合と、ＴＤＤフレームにのみ適用する場合と、に分けられる。一つのセルで複数のＣＳＩ−ＲＳ構成が使われることができる。非ゼロ電力（ｎｏｎ−ｚｅｒｏ  ｐｏｗｅｒ）ＣＳＩ−ＲＳを仮定する端末に対して０個または１個のＣＳＩ−ＲＳ構成が、ゼロ電力（ｚｅｒｏ  ｐｏｗｅｒ）ＣＳＩ−ＲＳを仮定する端末に対して０個または複数個のＣＳＩ−ＲＳ構成が使われることができる。
【０１２６】
ＣＳＩ−ＲＳ構成は、上位層により指示されることができる。例えば、上位層を介して送信されるＣＳＩ−ＲＳ−Ｃｏｎｆｉｇ  ＩＥ（ｉｎｆｏｒｍａｔｉｏｎ  ｅｌｅｍｅｎｔ）がＣＳＩ−ＲＳ構成を指示することができる。以下の表は、ＣＳＩ−ＲＳ−Ｃｏｎｆｉｇ  ＩＥの一例を示す。
【０１２７】
【表１０】
2019205170.tif 000014
【０１２８】
以上の表を参照すると、‘ａｎｔｅｎｎａＰｏｒｔｓＣｏｕｎｔ’フィールドは、ＣＳＩ−ＲＳの送信のために使われるアンテナポートの個数を指示する。‘ｒｅｓｏｕｒｃｅＣｏｎｆｉｇ’フィールドは、ＣＳＩ−ＲＳ構成を指示する。‘ＳｕｂｆｒａｍｅＣｏｎｆｉｇ’フィールド及び‘ｚｅｒｏＴｘＰｏｗｅｒＳｕｂｆｒａｍｅＣｏｎｆｉｇ’フィールドは、ＣＳＩ−ＲＳが送信されるサブフレーム構成を指示する。
【０１２９】
‘ｚｅｒｏＴｘＰｏｗｅｒＲｅｓｏｕｒｃｅＣｏｎｆｉｇＬｉｓｔ’フィールドは、ゼロ電力ＣＳＩ−ＲＳの構成を指示する。‘ｚｅｒｏＴｘＰｏｗｅｒＲｅｓｏｕｒｃｅＣｏｎｆｉｇＬｉｓｔ’フィールドを構成する１６ビットのビットマップ（ｂｉｔｍａｐ）で１に設定されたビットに対応されるＣＳＩ−ＲＳ構成がゼロ電力ＣＳＩ−ＲＳに設定されることができる。
【０１３０】
ＣＳＩ−ＲＳに対するシーケンスｒl、ns（ｍ）は、以下の数式のように生成されることができる。
【０１３１】
【数２】
2019205170.tif 000015
【０１３２】
前記数式において、ｎsは、無線フレーム内でスロットナンバーであり、ｌは、スロット内でのＯＦＤＭシンボルナンバーである。ｃ（ｉ）は、疑似ランダムシーケンス（ｐｓｅｕｄｏ  ｒａｎｄｏｍ  ｓｅｑｕｅｎｃｅ）であり、数式１に表示されたｃinitとして各ＯＦＤＭシンボルで開始される。ＮIDcellは、物理的セルＩＤを意味する。
【０１３３】
ＣＳＩ−ＲＳを送信するように設定されたサブフレームで、参照信号シーケンスｒl、ns（ｍ）は、アンテナポートｐに対する参照シンボルとして使われる複素値変調シンボルａk、l(p)にマッピングされる。
【０１３４】
ｒl、ns（ｍ）とａk、l(p)の関係は、以下の数式の通りである。
【０１３５】
【数３】
2019205170.tif 000016
【０１３６】
前記数式において、（ｋ′、ｌ′）とｎsは、後述する表５及び表６で与えられる。ＣＳＩ−ＲＳは、（ｎs  ｍｏｄ２）が後述する表５及び表６の条件を満たすダウンリンクスロットで送信されることができる（ここで、ｍｏｄは、モジュラ演算を意味する。即ち、（ｎs  ｍｏｄ２）は、ｎsを２で割った余りを意味する）。
【０１３７】
以下の表は、ノーマルＣＰでのＣＳＩ−ＲＳの構成を示す。
【０１３８】
【表１１】
2019205170.tif 000017
【０１３９】
以下の表は、拡張ＣＰでのＣＳＩ−ＲＳの構成を示す。
【０１４０】
【表１２】
2019205170.tif 000018
【０１４１】
端末は、以上の二つの表において、ｎs  ｍｏｄ２の条件を満たすダウンリンクスロットでのみＣＳＩ−ＲＳを送信することができる。また、端末は、ＴＤＤフレームのスペシャルサブフレーム（ｓｐｅｃｉａｌ  ｓｕｂｆｒａｍｅ）、ＣＳＩ−ＲＳの送信が同期化信号（ｓｙｎｃｈｒｏｎｉｚａｔｉｏｎ  ｓｉｇｎａｌ）、ＰＢＣＨ（ｐｈｙｓｉｃａｌ  ｂｒｏａｄｃａｓｔ  ｃｈａｎｎｅｌ）、システム情報ブロックタイプ１（ＳｙｓｔｅｍＩｎｆｏｒｍａｔｉｏｎＢｌｏｃｋＴｙｐｅ１）と衝突するサブフレームまたはページングメッセージが送信されるサブフレームではＣＳＩ−ＲＳを送信しない。また、Ｓ＝｛１５｝、Ｓ＝｛１５、１６｝、Ｓ＝｛１７、１８｝、Ｓ＝｛１９、２０｝またはＳ＝｛２１、２２｝であるセットＳにおいて、一つのアンテナポートのＣＳＩ−ＲＳが送信されるリソース要素は、ＰＤＳＣＨや他のアンテナポートのＣＳＩ−ＲＳの送信に使われない。
【０１４２】
以下の表は、ＣＳＩ−ＲＳが送信されるサブフレーム構成の一例を示す。
【０１４３】
【表１３】
2019205170.tif 000019
【０１４４】
以上の表を参照すると、ＣＳＩ−ＲＳサブフレーム構成（ＩCSI-RS）によって、ＣＳＩ−ＲＳが送信されるサブフレームの周期（ＴCSI-RS）及びオフセット（ΔCSI-RS）が決定されることができる。以上の表のＣＳＩ−ＲＳサブフレーム構成は、以上の表のＣＳＩ−ＲＳ−Ｃｏｎｆｉｇ  ＩＥの‘ＳｕｂｆｒａｍｅＣｏｎｆｉｇ’フィールドまたは‘ＺｅｒｏＴｘＰｏｗｅｒＳｕｂｆｒａｍｅＣｏｎｆｉｇ’フィールドのうちいずれか一つである。ＣＳＩ−ＲＳサブフレーム構成は、非ゼロ電力ＣＳＩ−ＲＳ及びゼロ電力ＣＳＩ−ＲＳに対して分離されて（ｓｅｐａｒａｔｅｌｙ）構成されることができる。
【０１４５】
一方、図面は、ノーマルＣＰ構造でＣＳＩ−ＲＳ構成インデックスが０の時、ＣＳＩ−ＲＳのために使われるリソース要素を示す。Ｒｐは、アンテナポートｐ上のＣＳＩ−ＲＳ送信に使われるリソース要素を示す。図面を参照すると、アンテナポート１５及び１６に対するＣＳＩ−ＲＳは、第１のスロットの６番目及び７番目のＯＦＤＭシンボル（ＯＦＤＭシンボルインデックス５、６）の３番目の副搬送波（副搬送波インデックス２）に該当するリソース要素を介して送信される。アンテナポート１７及び１８に対するＣＳＩ−ＲＳは、第１のスロットの６番目及び７番目のＯＦＤＭシンボル（ＯＦＤＭシンボルインデックス５、６）の９番目の副搬送波（副搬送波インデックス８）に該当するリソース要素を介して送信される。アンテナポート１９及び２０に対するＣＳＩ−ＲＳは、アンテナポート１５及び１６に対するＣＳＩ−ＲＳが送信される同じリソース要素を介して送信され、アンテナポート２１及び２２に対するＣＳＩ−ＲＳは、アンテナポート１７及び１８に対するＣＳＩ−ＲＳが送信される同じリソース要素を介して送信される。
【０１４６】
もし、端末に８個のアンテナポートを介したＣＳＩ−ＲＳが送信される場合、端末は、Ｒ１５乃至Ｒ２２がマッピングされたＲＢを受信するようになる。即ち、特定パターンを有するＣＳＩ−ＲＳを受信するようになる。
【０１４７】
一方、以下、小規模セルに対して説明する。
【０１４８】
＜小規模セル（ｓｍａｌｌ  ｃｅｌｌ）の導入＞
一方、次世代移動通信システムでは、セルカバレッジ半径が小さい小規模セル（ｓｍａｌｌ  ｃｅｌｌ）が既存セルのカバレッジ内に追加されることが予想され、小規模セルはさらに多いトラフィックを処理することが予想される。前記既存セルは、前記小規模セルに比べてカバレッジが大きいため、マクロセル（Ｍａｃｒｏ  ｃｅｌｌ）とも呼ばれる。以下、図７を参照して説明する。
【０１４９】
図１２は、次世代無線通信システムになる可能性があるマクロセルと小規模セルの混合された異種ネットワークの環境を示す。
【０１５０】
図１２を参照すると、既存基地局２００によるマクロセルは、一つ以上の小規模基地局３００ａ、３００ｂ、３００ｃ、３００ｄによる小規模セルと重なった異種ネットワーク環境が示されている。前記既存基地局は、前記小規模基地局に比べて大きいカバレッジを提供するため、マクロ基地局（Ｍａｃｒｏ  ｅＮｏｄｅＢ、ＭｅＮＢ）とも呼ばれる。本明細書では、マクロセルとマクロ基地局という用語を混用して使用する。マクロセル２００に接続されたＵＥは、マクロＵＥ（Ｍａｃｒｏ  ＵＥ）ともいう。マクロＵＥは、マクロ基地局からダウンリンク信号を受信し、マクロ基地局にアップリンク信号を送信する。
【０１５１】
このような異種ネットワークでは、前記マクロセルをプライマリセル（Ｐｃｅｌｌ）に設定し、前記小規模セルをセカンダリセル（Ｓｃｅｌｌ）に設定することによって、マクロセルのカバレッジ隙間を補うことができる。また、前記小規模セルをプライマリセル（Ｐｃｅｌｌ）に設定し、前記マクロセルをセカンダリセル（Ｓｃｅｌｌ）に設定することによって、全体的な性能を向上（ｂｏｏｓｔｉｎｇ）させることができる。
【０１５２】
しかし、このような小規模セルの導入によって、セル間の干渉（Ｉｎｔｅｒ−ｃｅｌｌ  Ｉｎｔｅｒｆｅｒｅｎｃｅ）はさらに加重されることができる。
【０１５３】
このような干渉問題を解決する最も根本的な方法は、セル間に周波数を互いに異なるように使用することである。しかし、周波数は、稀少で且つ高値なリソースであるため、事業者には周波数分割を介した解決方法があまり歓迎されていない。
【０１５４】
したがって、３ＧＰＰでは、このようなセル間の干渉（ｉｎｔｅｒ−ｃｅｌｌ  ｉｎｔｅｒｆｅｒｅｎｃｅ）問題を時間分割を介して解決しようとした。
【０１５５】
それによって、最近３ＧＰＰでは、干渉協力方法の一つとして、ｅＩＣＩＣ（ｅｎｈａｎｃｅｄ  ｉｎｔｅｒ−ｃｅｌｌ  ｉｎｔｅｒｆｅｒｅｎｃｅ  ｃｏｏｒｄｉｎａｔｉｏｎ）に対する活発な研究が進行されている。
【０１５６】
＜ｅＩＣＩＣの導入＞
ＬＴＥ  Ｒｅｌｅａｓｅ−１０に導入された時間分割方式は、既存の周波数分割方式に比べて進化したという意味でｅｎｈａｎｃｅｄ  ＩＣＩＣ（Ｅｎｈａｎｃｅｄ  ｉｎｔｅｒ−ｃｅｌｌ  ｉｎｔｅｒｆｅｒｅｎｃｅ  Ｃｏｏｒｄｉｎａｔｉｏｎ）と呼ばれ、干渉を起こすセルを各々アグレッサセル（Ａｇｇｒｅｓｓｏｒ  ｃｅｌｌ）またはプライマリセル（Ｐｒｉｍａｒｙ  Ｃｅｌｌ）と定義し、干渉を受けるセルをビクティムセル（Ｖｉｃｔｉｍ  ｃｅｌｌ）またはセカンダリセル（Ｓｅｃｏｎｄａｒｙ  Ｃｅｌｌ）と定義し、特定サブフレームでは、アグレッサセル（Ａｇｇｒｅｓｓｏｒ  ｃｅｌｌ）またはプライマリセルがデータ送信を中止し、ＵＥが該当サブフレームでビクティムセル（Ｖｉｃｔｉｍ  ｃｅｌｌ）またはセカンダリセルと接続を維持することができるようにする方法である。即ち、この方法は、異種のセルが共存する場合、ある領域で相当高い干渉を受けるＵＥに対し、片方のセルが信号の送信をしばらく中断することによって干渉信号をほとんど送らない。
【０１５７】
一方、前記データ送信が中止される特定サブフレームをＡＢＳ（Ａｌｍｏｓｔ  Ｂｌａｎｋ  Ｓｕｂｆｒａｍｅ）といい、前記ＡＢＳに該当するサブフレームでは、必ず必要な制御情報外、何らのデータも送信されない。前記必ず必要な制御情報は、例えば、ＣＲＳである。したがって、ＡＢＳが適用されたサブフレーム上では、データは送信されず、０、４、７、１１番のシンボル上でＣＲＳ信号のみが送信される。
【０１５８】
図１３は、基地局間の干渉を解決するためのｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）を示す例示図である。
【０１５９】
図１３を参照すると、マクロセルの基地局２００は、図示されたサブフレームのデータ領域でデータ送信を実行する。
【０１６０】
このとき、小規模セルの基地局３００は、干渉を解決するために、ｅＩＣＩＣを適用する。即ち、前記ｅＩＣＩＣが適用されると、該当サブフレームは、ＡＢＳによって運用されることで、データ領域では何らのデータも送信されない。
【０１６１】
ただし、ＡＢＳによって運用されるサブフレームでは、０、４、７、１１番のシンボル上でＣＲＳのみが送信されることができる。
【０１６２】
他方、このように小規模セルが配置されることによって、セル間干渉問題がさらに悪化されることができる。これを解決するために、図示されているように、前記小規模セルのカバレッジ大きさは、状況によって縮小されることができる。または、前記小規模セルは、状況によって、ｏｆｆされた後、再びｏｎされることができる。
【０１６３】
図１４は、小規模セルが過密に配置された状況を示す例示図である。
【０１６４】
図１４を参照すると、マクロセルのカバレッジ内に小規模セルが過密に配置された状況が示されている。このような状況では、ＵＥ１００が前記小規模セルを早い時間内に検出しにくい。特に、前述したように、セル検出は、ＰＳＳ／ＳＳＳの受信を介して実行される。しかし、数多くの小規模セルがＰＳＳ／ＳＳＳを同じタイミング、即ち、０番及び５番のサブフレーム上で送信すると、ＵＥ１００が一度にこれを全て受信しにくい。しかも、小規模セルがＰＳＳ／ＳＳＳを０番及び５番のサブフレーム上で同時に送信すると、互いに干渉を起こし、ＵＥ１００が正確に受信するのが至難である。
【０１６５】
＜本明細書の開示＞
したがって、本明細書の一開示は、このような問題点を解決する方案を提示することを目的とする。
【０１６６】
図１５は、本明細書の一開示によって小規模セルが探索信号を送信する例を示す。
【０１６７】
前述した問題点を解決するために、図１５を参照して分かるように、本明細書の一開示は、ＵＥが小規模セルを効率的に検出することができるようにするために、小規模セルが既存のＰＳＳ／ＳＳＳ外に新しい探索信号（ｄｉｓｃｏｖｅｒｙ  ｓｉｇｎａｌ：ＤＳ）を送信することを提案する。前記探索信号（ＤＳ）は、探索参照信号（Ｄｉｓｃｏｖｅｒｙ  Ｒｅｆｅｒｅｎｃｅ  Ｓｉｇｎａｌ：ＤＲＳ）とも呼ばれる。それによって、ＵＥは、既存のＰＳＳ／ＳＳＳ外に探索信号（ＤＳ）を利用したセル探索過程（Ｃｅｌｌ  Ｓｅａｒｃｈ  Ｐｒｏｃｅｄｕｒｅ）またはセル検出過程を実行しなければならない。
【０１６８】
ここで、前記探索信号（ＤＳ）は、長い周期で周期的に送信される信号を意味する。
【０１６９】
このような探索信号（ＤＳ）は、小規模セルだけでなく、ＲＲＨ（ｒｅｍｏｔｅ  ｒａｄｉｏ  ｈｅａｄ）、送信ポイント（ＴＰ）（ｔｒａｎｓｍｉｓｓｉｏｎ  ｐｏｉｎｔ）等によっても送信されることができる。
【０１７０】
前記探索信号（ＤＳ）は、下記のような特徴を有することができる。
【０１７１】
−既存ＰＳＳ／ＳＳＳ、そしてＣＲＳに比べて多くのセルを検出することができるようにする。
【０１７２】
−短い時間、例えば、一つのサブフレームの間により多くのセルを検出することができるようにする。
【０１７３】
−短い時間、例えば、一つのサブフレームの間に測定を実行することができるようにする。
【０１７４】
−ｏｎ／ｏｆｆ動作を実行する小規模セルに対する測定をサポートする。即ち、小規模セルがＯｆｆ状態の時にも、前記小規模セルは、探索信号（ＤＳ）を送信することによって、ＵＥが前記探索信号に基づいて測定を実行することができるようにする。
【０１７５】
前記探索信号（ＤＳ）は、下記のような信号で具現されることができる。
【０１７６】
（ａ）ＰＳＳ／ＳＳＳ／ＣＳＩ−ＲＳ／ＣＲＳまたはＰＳＳ／ＳＳＳ／設定可能なＣＲＳ
【０１７７】
（ｂ）ＰＳＳ／ＳＳＳ／ＣＲＳ
【０１７８】
（ｃ）ＰＳＳ／ＳＳＳ／ＣＳＩ−ＲＳ
【０１７９】
（ｄ）ＰＳＳ／ＳＳＳ／ＣＳＩ−ＲＳ／ＣＲＳまたはＰＳＳ／ＳＳＳ／設定可能なＣＳＩ−ＲＳ
【０１８０】
このような探索信号（ＤＳ）は、コース（ｃｏａｒｓｅ）時間／周波数トラッキング（ｔｒａｃｋｉｎｇ）、測定のために使われることができる。
【０１８１】
一方、探索信号（ＤＳ）は、下記の要求事項を満たしなければならない。
【０１８２】
−探索信号（ＤＳ）は、非常に高い初期タイミングエラー（例えば、＋−２．５ｍｓ）を仮定する時、コース（ｃｏａｒｓｅ）時間同期をサポートしなければならない。
【０１８３】
−探索信号（ＤＳ）は、非常に高い初期周波数エラー（例えば、２０Ｋｈｚ）を仮定する時、コース周波数同期をサポートしなければならない。
【０１８４】
−探索信号（ＤＳ）は、少なくとも３個以上のセルを検出することができるようにサポートしなければならない。
【０１８５】
一方、探索信号（ＤＳ）の周期は、下記の制約を考慮して決定される。
【０１８６】
−様々な測定ギャップ区間（ｍｅａｓｕｒｅｍｅｎｔ  ｇａｐ  ｐｅｒｉｏｄ）：４０ｍｓｅｃ、８０ｍｓｅｃ、１６０ｍｓｅｃまたは３２０ｍｓｅｃ
【０１８７】
−ＤＲＸサイクルと整列（ａｌｉｇｎ）：１０、２０、３２、４０、６４、８０、１２８、１６０、２５６、３２０、５１２、６４０、１０２４、１２８０、２０４８、２５６０
【０１８８】
−探索信号の一部としてＰＳＳ／ＳＳＳが送信される場合、前記探索信号の周期は、５ｍｓｅｃの倍数になって、ｏｎ状態で送信される一般的なＰＳＳ／ＳＳＳは、前記探索信号のＰＳＳ／ＳＳＳにより代替されなければならない。ただし、このような制約は、小規模セルがｏｎ状態で探索信号を送信しない場合には適用されない。その代案としては、本明細書の開示によって改善されたＵＥでない既存ＵＥの影響を最小化するために、既存ＰＳＳ／ＳＳＳ外に探索信号のためのＰＳＳ／ＳＳＳが別途に送信されることもできる。このように既存ＰＳＳ／ＳＳＳ外に探索信号のために別途に送信されるＰＳＳ／ＳＳＳは、ＤＳ−ＰＳＳ（または、ＤＲＳ−ＰＳＳ）／ＤＳ−ＳＳＳ（または、ＤＲＳ−ＳＳＳ）とも呼ばれる。この場合、ＤＳ−ＰＳＳ（または、ＤＲＳ−ＰＳＳ）／ＤＳ−ＳＳＳ（または、ＤＲＳ−ＳＳＳ）に基づくセルＩＤとＰＳＳ／ＳＳＳに基づくセルＩＤは、互いに異なる。
【０１８９】
他方、既存ＣＲＳ外に探索信号のために別途にＣＲＳとＣＳＩ−ＲＳのうち一つ以上が送信されると、このようなＣＲＳとＣＳＩ−ＲＳをＤＳ−ＣＲＳ（または、ＤＲＳ−ＣＲＳ）とＤＳ−ＣＳＩ−ＲＳ（または、ＤＲＳ−ＣＳＩ−ＲＳ）と各々呼ぶことができる。また、既存ＰＲＳ外に探索信号のために別途にＰＲＳが送信されると、このようなＰＲＳはＤＳ−ＰＲＳ（または、ＤＲＳ−ＰＲＳ）とも呼ばれる。
【０１９０】
また、本明細書において、ＤＲＳ−ＰＳＳ、ＤＲＳ−ＳＳＳ、ＤＲＳ−ＣＲＳ、ＤＲＳ−ＣＳＩ−ＲＳ、及びＤＲＳ−ＰＲＳは、各々、探索信号（ＤＳ）に含まれるＰＳＳ、ＳＳＳ、ＣＲＳ、ＣＳＩ−ＲＳ、及びＰＲＳを意味する。
【０１９１】
一方、特定セルが長い周期で送信するＤＲＳが前述した（ａ）−（ｄ）の形態のうちいずれか一つの形態である場合、まず、ＤＲＳ−ＰＳＳ、ＤＲＳ−ＳＳＳ、ＤＲＳ−ＣＲＳ及びＤＲＳ−ＣＳＩ−ＲＳのシーケンス及びリソースは、既存のＰＳＳ、ＳＳＳ、ＣＲＳ、ＣＳＩ−ＲＳと最大限に類似した形態で送信されることができるようにし、他のスクランブリング初期パラメータそして／またはリソース位置（例えば、他の周波数／時間リソース）上で送信される形態であり、従来のＰＳＳ、ＳＳＳ、ＣＲＳ、ＣＳＩ−ＲＳと相違点がある。より具体的に、ＤＲＳ−ＣＳＩ−ＲＳは、既存ＣＳＩ−ＲＳのリソースパターンを使用するが、送信サブフレーム及び周期またはスクランブリングＩＤは異なる。即ち、特定のセルが送信するＤＲＳ−ＣＳＩ−ＲＳとＣＳＩ−ＲＳのスクランブリングＩＤ、アンテナポートの個数、送信周期／オフセットなどは異なる。
【０１９２】
図１６は、クラスタ内の複数の送信ポイント（ＴＰ）（または、小規模セル）が同じ物理的セル識別子（ＰＣＩＤ）を使用する例を示す。
【０１９３】
図１６を参照して分かるように、複数の送信ポイント（ＴＰ）（または、小規模セル）がクラスタ（ｃｌｕｓｔｅｒ）単位でグループ化され、各クラスタ内の送信ポイント（ＴＰ）（または、小規模セル）は、自分のマクロ基地局と同じ物理セル識別子（Ｐｈｙｓｉｃａｌ  Ｃｅｌｌ  ＩＤ；ＰＣＩＤ）を使用することができる。このような環境を共有セル−ＩＤシナリオという。このとき、ＰＣＩＤは、現在ＬＴＥ技術と同じように、ＰＳＳ／ＳＳＳ及びＣＲＳ送信のために使われるセル固有なＩＤを意味し、または特定クラスタ内で共通的に使用する別途のクラスタＩＤを意味する。
【０１９４】
このような環境で、クラスタ内の複数の送信ポイント（ＴＰ）間に追加的なセル分散利得（ｃｅｌｌ−ｓｐｌｉｔｔｉｎｇ  ｇａｉｎ）などを得るために、各送信ポイント（ＴＰ）別に固有の識別情報が付与されることができる。このように送信ポイント（ＴＰ）別固有な識別情報を送信ポイント（ＴＰ）ＩＤということができる。代表的な実施例として、各送信ポイント（ＴＰ）ＩＤは、該当送信ポイント（ＴＰ）で送信するＣＳＩ−ＲＳまたは探索信号（ＤＳ）のうちいずれか一つのシーケンススクランブリング初期パラメータ（例えば、ｓｃｒａｍｂｌｉｎｇＩｄｅｎｔｉｔｙ）として使われることができ、その他の送信ポイント（ＴＰ）別固有な参照信号（ＲＳ）の送信に使われることもできる。
【０１９５】
本明細書では、各送信ポイント（ＴＰ）が固有の送信ポイント（ＴＰ）別に固有な探索参照信号（ＤＲＳ）を送信する状況を考慮する。ＤＲＳは、複数個の参照信号（ＲＳ）で構成されることができ、各送信ポイント（ＴＰ）は、複数個の参照信号（ＲＳ）を送信することを仮定するものではない。例えば、ＤＲＳがＤＲＳ−ＰＳＳ／ＤＲＳ−ＳＳＳ／ＤＲＳ−ＣＳＩ−ＲＳ／ＤＲＳ−ＣＲＳで構成されていると仮定する場合、ＤＲＳ−ＰＳＳ／ＤＲＳ−ＳＳＳ／ＤＲＳ−ＣＲＳは、各送信ポイント（ＴＰ）で送信されることもでき、代表的な送信ポイント（ＴＰ）で送信されることもできる。
【０１９６】
一方、ＵＥが探索信号（ＤＳ）を介して実行する役割のうち一つは、前述したように、ＲＳＲＰ／ＲＳＲＱ測定である。既存システムにおいて、ＵＥは、ＲＳＲＰ測定及びＲＳＲＱ測定をＣＲＳを介して実行した。これは、小規模セルに対する測定に対しても同じである。ただし、探索信号を送信する小規模セルに対しては、ＵＥは、前記探索信号を介して測定を実行することもできる。しかし、ＣＲＳとＤＲＳは、互いに異なるシーケンス、ＲＥ位置、ＲＥ密度（ｄｅｎｓｉｔｙ）を有することができるため、同じ小規模セルに対してＣＲＳを介して測定したＲＳＲＰ、ＲＳＲＱの値と探索信号（ＤＳ）を介して測定したＲＳＲＰ、ＲＳＲＱ値は、互いに異なる。以下、説明の便宜上、既存と同様に、ＣＲＳを利用して測定したＲＳＲＰ、ＲＳＲＱの値を各々Ｃ−ＲＳＲＰ、Ｃ−ＲＳＲＱといい、既存と違って、探索信号（ＤＳ）を利用して測定したＲＳＲＰ、ＲＳＲＱを各々Ｄ−ＲＳＲＰ、Ｄ−ＲＳＲＱという。
【０１９７】
他方、ＵＥは、基地局からＤＲＳベースの測定のためのタイミング（ｔｉｍｉｎｇ）情報であるＤＲＳ測定タイミング設定（ＤＲＳ  Ｍｅａｓｕｒｅｍｅｎｔ  Ｔｉｍｉｎｇ  Ｃｏｎｆｉｇｕｒａｔｉｏｎ：ＤＭＴＣ）を受信することができる。前記ＤＭＴＣは、測定設定（ｍｅａｓｃｏｎｆｉｇ）内のｍｅａｓｏｂｊｅｃｔ内に含まれて受信されることができる。このようなＤＭＴＣは、周期、オフセット値を含むことができ、追加的に区間（ｄｕｒａｔｉｏｎ）の値も含むことができる。
【０１９８】
他方、セル間干渉を減らすためにＡＢＳが運用される場合、ＵＥは、どのサブフレームがＡＢＳに設定されているかを知らない。例えば、アグレッサセルがＡＢＳを設定した場合、干渉水準は、サブフレーム別に大きく変動する。したがって、一部ＵＥは、特定サブフレーム上でリソース割当を受けることができない場合もある。ＡＢＳが設定されたサブフレームとＡＢＳが設定されないサブフレームをＵＥが区別することができない場合、ＵＥは、サブフレーム別に著しく変動した干渉水準を単純に平均を取った後に報告しなければならない。したがって、不正確な測定結果が報告される。
【０１９９】
それを解決するために、前述した時間ドメイン測定リソース制限パターン（Ｔｉｍｅ  ｄｏｍａｉｎ  ｍｅａｓｕｒｅｍｅｎｔ  ｒｅｓｏｕｒｃｅ  ｒｅｓｔｉｒｃｔｉｏｎ  ｐａｔｔｅｒｎ）、即ち、測定サブフレームパターンが使われることができる。このような測定サブフレームパターンに対する情報をＵＥに伝達することによって、ＵＥは、特定パターンのサブフレーム上でのみ測定を実行することができる。
【０２００】
一方、隣接小規模セルがＯｎ／Ｏｆｆ動作を実行して、ＵＥが既存のＣＲＳを利用しては前記隣接小規模セルに対する測定を実行しにくい場合、前記ＵＥは、前記隣接小規模セルからの探索信号（ＤＳ）を利用して測定を実行することができる。しかし、ＵＥのサービングセルとしてｏｎ状態で動作する小規模セルに対しては、ＵＥがＣＲＳと探索信号（ＤＳ）のうちどれを利用して測定を実行すべきかが不明で問題になることができる。
【０２０１】
他方、小規模セルが探索信号（ＤＳ）をＰＳＳ／ＳＳＳ／ＣＲＳ（即ち、ＤＲＳ−ＰＳＳ／ＤＲＳ−ＳＳＳ／ＤＲＳ−ＣＲＳ）または、ＰＳＳ／ＳＳＳ／ＣＳＩ−ＲＳ（即ち、ＤＲＳ−ＰＳＳ／ＤＲＳ−ＳＳＳ／ＤＲＳ−ＣＳＩ−ＲＳ）の組合せで生成し、複数のサブフレーム（例えば、６個または１０個のサブフレーム）上で送信し、一部サブフレームは、ＡＢＳに設定する場合、ＵＥが探索信号（ＤＳ）に対しても測定サブフレームパターンにより指示される制限されたサブフレーム上でのみ測定を実行すべきかが不明で問題になることができる。
【０２０２】
また、他方、既存定義によると、ＲＳＳＩは、ＣＲＳが含まれている特定のＯＦＤＭシンボル上での測定結果に基づいて算出される。しかし、このような既存定義を探索信号（ＤＳ）に対して適用すると、問題になることができる。何故問題になるかを説明すると、次の通りである。まず、既存定義を探索信号にも適用すると、探索信号に対するＲＳＳＩは、探索信号が含まれるＯＦＤＭシンボル上でのみの測定結果に基づいて算出される。しかし、隣接小規模セルがＯＦＦ状態で探索信号を送信する場合を仮定すると、この時には、ダウンリンクサブフレーム上で何らのデータが送信されないため、測定されたＲＳＳＩは不正確であり、それによって、ＲＳＲＱの算出も不正確になる問題点がある。
【０２０３】
以下、言及した問題点を各々解決するための方案に対して説明する。
【０２０４】
Ｉ．サービングセルに対するＲＳＲＰ／ＲＳＲＱ測定のための参照信号
まず、ＵＥのサービングセルのうち、探索信号（ＤＳ）を送信することができるサービングセルに対し、ＵＥがＣＲＳと探索信号（ＤＳ）のうちどれを利用してＲＳＲＰ／ＲＳＲＱ測定を実行すべきかに対して説明する。ただし、以下の例で特別な言及がない場合、ＵＥのサービングセルは、プライマリセル（ＰＣｅｌｌ）を意味すると理解してもよい。
【０２０５】
まず、ＵＥは、各サービングセルに対する探索信号測定タイミング設定（Ｄｉｓｃｏｖｅｒｙ  ｓｉｇｎａｌ  Ｍｅａｓｕｒｅｍｅｎｔ  Ｔｉｍｉｎｇ  Ｃｏｎｆｉｇｕｒａｔｉｏｎ：ＤＭＴＣ）を受信しない場合、ＣＲＳベースのＲＳＲＰ／ＲＳＲＱ測定を実行することができる。このとき、探索信号測定タイミング設定（ＤＭＴＣ）とは、ＵＥが測定を実行することができるサブフレームをサービングセルにＵＥに設定することを意味する。探索信号測定タイミング設定（ＤＭＴＣ）は、サブフレーム周期（ｕｂｆｒａｍｅｐｅｒｉｏｄ）、サブフレームオフセット、及び／またはサブフレーム区間（ｓｕｂｆｒａｍｅ  ｄｕｒａｔｉｏｎ）を含むことができる。
【０２０６】
ＵＥが各サービングセルに対する探索信号測定タイミング設定（ＤＭＴＣ）を受信した場合、ＵＥは、下記のような方案のうちいずれか一つの方案によって動作できる。
【０２０７】
第１の方案として、ＵＥがサービングセルと接続（ｃｏｎｎｅｃｔｉｏｎ）を確立している間、前記サービングセルは常にＯＮ状態にある。したがって、ＵＥは、自分のサービングセルに対しては常にＣＲＳベースのＲＳＲＰ／ＲＳＲＱ  ｍｅａｓｕｒｅｍｅｎｔを実行することができる。即ち、前記ＵＥのサービングセルが探索信号（ＤＳ）を送信しても、前記ＵＥは、探索信号（ＤＳ）でないＣＲＳに基づいてＲＳＲＰ／ＲＳＲＱ測定を実行する。即ち、ＵＥは、自分のサービングセルに対するＲＳＲＰ／ＲＳＲＱ報告を実行する時、Ｃ−ＲＳＲＰ、Ｃ−ＲＳＲＱ値のみを報告することができる。それに対し、前記ＵＥは、隣接セルに対する測定をしようとする時にのみ探索信号（ＤＳ）ベースのＲＳＲＰ／ＲＳＲＱ測定を実行することができる。このような第１の方案に対して図面を参照してより具体的に説明すると、下記の通りである。
【０２０８】
図１７ａは、ＣＲＳと探索信号（ＤＳ）のうちどれを利用して測定を実行するかに対する第１の解決方案を示す例示図である。
【０２０９】
図１７ａを参照して分かるように、ＵＥが探索信号測定タイミング設定（ＤＭＴＣ）を受信する場合、前記探索信号測定タイミング設定（ＤＭＴＣ）を適用して第２のセルに対する測定を実行することができる。それに対し、第１のセルに対しては前記探索信号測定タイミング設定（ＤＭＴＣ）を適用せずに、ＣＲＳベースの測定を実行することができる。
【０２１０】
ここで、前記第１のセルとは、ＵＥのサービングセルのうちプライマリセル（Ｐｃｅｌｌ）を意味する。そして、前記第２のセルは、プライマリセルでないセルを意味し、例えば、セカンダリセル（Ｓｃｅｌｌ）または隣接セルを含む。
【０２１１】
一方、前記第１のセルがプライマリセル（Ｐｃｅｌｌ）の場合、前記ＵＥは、プライマリセル（Ｐｃｅｌｌ）に対する測定サブフレームパターン（例えば、ｍｅａｓＳｕｂｆｒａｍｅＰａｔｔｅｒｎＰＣｅｌｌ）を受信することができる。この場合、前記ＵＥは、前記測定サブフレームパターンを適用して前記プライマリセル（Ｐｃｅｌｌ）に対してＣＲＳベースの測定を実行することができる。即ち、前記ＵＥは、前記プライマリセル（Ｐｃｅｌｌ）に対する測定サブフレームパターンにより指示されたサブフレーム上でＣＲＳベースの測定を実行することができる。
【０２１２】
図１７ｂは、ＣＲＳと探索信号（ＤＳ）のうちどれを利用して測定を実行するかに対する第１の解決方案をさらに詳細に示す例示図である。
【０２１３】
図１７ｂを参照すると、ＵＥは、測定サブフレームパターンを受信する。ここで、前記受信は、プライマリセル（Ｐｃｅｌｌ）に対する測定サブフレームパターンを受信することと隣接セルに対する測定サブフレームパターンを受信することを両方とも含む。
【０２１４】
そのとき、前記ＵＥは、第１のセル、例えば、プライマリセル（Ｐｃｅｌｌ）に対しては前記測定サブフレームパターンを適用してＣＲＳベースの測定を実行する。即ち、前記ＵＥは、前記測定サブフレームパターンで指示されたサブフレーム上で前記第１のセル、例えば、プライマリセル（Ｐｃｅｌｌ）から受信されるＣＲＳを利用して測定を実行する。
【０２１５】
一方、ＵＥが探索信号測定タイミング設定（ＤＭＴＣ）を受信する場合、前記探索信号測定タイミング設定（ＤＭＴＣ）を適用して第２のセルに対する測定を実行し、ＵＥが探索信号測定タイミング設定（ＤＭＴＣ）を受信することができない場合、前記測定サブフレームパターンを適用してＣＲＳベースの測定を実行する。具体的には、前記ＵＥが探索信号測定タイミング設定（ＤＭＴＣ）を受信することができない場合、前記測定サブフレームパターンで指示されたサブフレーム上で前記第２のセルから受信されるＣＲＳを利用して測定を実行する。
【０２１６】
以下、第２の解決方案及び第３の解決方案に対して説明する。
【０２１７】
第２の方案によると、ＵＥは、サービングセルに対して探索信号（ＤＳ）ベースのＲＳＲＰ／ＲＳＲＱ測定を実行することができる。この場合、ＵＥは、サービングセルと隣接セルを区別せずに、特定セルに対する探索信号（ＤＳ）測定タイミング設定（ＤＭＴＣ）を受信すると、探索信号（ＤＳ）ベースのＲＳＲＰ／ＲＳＲＱ測定を実行することができる。この場合、ＵＥは、自分のサービングセルに対するＲＳＲＰ／ＲＳＲＱ測定結果を報告する時、Ｄ−ＲＳＲＰ、Ｄ−ＲＳＲＱ値のみを報告することができる。
【０２１８】
第３の方案によると、ＵＥは、ＣＲＳベースのＲＳＲＰ／ＲＳＲＱ測定を実行し、または探索信号（ＤＳ）ベースのＲＳＲＰ／ＲＳＲＱ測定を実行することができる。即ち、ＵＥは、特定参照信号（ＲＳ）に基づいて測定を実行するように制限されずに、ＣＲＳまたは探索信号（ＤＳ）ベースの測定を実行し、またはＣＲＳベースの測定と探索信号（ＤＳ）ベースの測定を両方とも実行することができる。この場合、ＵＥは、Ｃ−ＲＳＲＰ／Ｃ−ＲＳＲＱ及び／またはＤ−ＲＳＲＰ／Ｄ−ＲＳＲＱ値をｅＮｏｄｅＢに報告することができる。この場合、ＵＥは、ＲＳＲＰ／ＲＳＲＱ値をｅＮｏｄｅＢに報告すると共に、該当ＲＳＲＰ／ＲＳＲＱ値がＣＲＳベースの測定値か、または探索信号（ＤＳ）ベースの測定値かを報告（ｒｅｐｏｒｔ）することができる。
【０２１９】
前記の場合、ＵＥがｅＮｏｄｅＢにＲＳＲＰ／ＲＳＲＱ値を報告する時、該当ＲＳＲＰ／ＲＳＲＱ値がＣＲＳベースの測定値か、または探索信号（ＤＳ）ベースの測定値かに対する情報を共に伝達することができる。
【０２２０】
ＵＥが探索信号（ＤＳ）ベースのＲＳＲＰ／ＲＳＲＱ測定を実行する場合、探索信号（ＤＳ）にＤＳ−ＣＲＳとＤＳ−ＣＳＩ−ＲＳが両方とも含まれている場合がある。この場合、ＵＥは、ＲＳＲＰ／ＲＳＲＱ測定のために、ＤＳ−ＣＲＳを利用し、またはＤＳ−ＣＳＩ−ＲＳを利用することができる。または、ＵＥは、ＤＳ−ＣＲＳとＤＳ−ＣＳＩ−ＲＳを両方とも利用することもできる。
【０２２１】
セルＩＤ（ＣｅｌｌＩＤ）運営方式（即ち、共有セルＩＤ運営方式または非共有セルＩＤ運営方式）によって、ＵＥは、特定送信ポイント（ＴＰ）のＲＳＲＰ／ＲＳＲＱ測定をＤＳ−ＣＲＳで実行すべきか、またはＤＳ−ＣＳＩ−ＲＳで実行すべきかが変わることができる。その理由は、非共有セルＩＤ運営方式では、送信ポイント（ＴＰ）毎に異なる（区分される）ＤＳ−ＣＲＳ（及びＤＳ−ＣＳＩ−ＲＳ）を送信するが、共有セルＩＤ運営方式では、送信ポイント（ＴＰ）間に同じ（区分されない）ＤＳ−ＣＲＳを送信し、ＤＳ−ＣＳＩ−ＲＳのみを異なるように（区分されるように）送信することができるためである。この場合、ＵＥは、特定セルまたは送信ポイント（ＴＰ）が共有セルＩＤ運営方式で動作するか、または非共有セルＩＤ運営方式で動作するかを知ることができないため、どの参照信号（ＲＳ）を利用してＲＳＲＰ／ＲＳＲＱ測定を実行すべきかを判断することができない。
【０２２２】
そのために、ｅＮｏｄｅＢは、ＵＥに上位層シグナリングを介してＲＳＲＰ／ＲＳＲＱ測定をＤＳ−ＣＲＳ（または、ＣＲＳ）で実行するか、またはＤＳ−ＣＳＩ−ＲＳ（または、ＣＳＩ−ＲＳ）で実行するかを知らせることができる。ＵＥがｅＮｏｄｅＢから上位層シグナリングを介してＲＳＲＰ／ＲＳＲＱ測定をＤＳ−ＣＲＳで実行することを設定受けた場合、ＵＥは、ＤＳ−ＣＲＳでＲＳＲＰ／ＲＳＲＱ測定を実行し、これをｅＮｏｄｅＢに報告することができる。または、ＵＥがｅＮｏｄｅＢから上位層シグナリングを介してＲＳＲＰ／ＲＳＲＱ測定をＤＳ−ＣＳＩ−ＲＳで実行することを設定受けた場合、ＵＥは、ＤＳ−ＣＳＩ−ＲＳでＲＳＲＰ／ＲＳＲＱ測定を実行し、これをｅＮｏｄｅＢに報告することができる。
【０２２３】
II．Ｍｅａｓｕｒｅｍｅｎｔ  ｓｕｂｆｒａｍｅの設定を受ける時、ＲＳＲＰ／ＲＳＲＱ測定
一方、前述したように、ＵＥが探索信号測定タイミング設定（ＤＭＴＣ）を受信し、また、測定サブフレームパターンも受信する場合、どのサブフレーム上で測定を実行すべきかが不明であるという問題がある。具体的に説明すると、ＵＥが探索信号測定タイミング設定（ＤＭＴＣ）を受信した場合、前記探索信号測定タイミング設定（ＤＭＴＣ）に指示されたサブフレーム上で測定を実行しなければならない。併せて、前記ＵＥが測定サブフレームパターンを受信する場合、前記ＵＥは、前記測定サブフレームパターンにより指示されたサブフレーム上で測定を実行しなければならない。しかし、前記探索信号測定タイミング設定（ＤＭＴＣ）により指示されたサブフレームと前記測定サブフレームパターンにより指示されたサブフレームが互いに完全に同じでない場合、前記ＵＥは、どのサブフレーム上で測定を実行しなければならないかを判断がつかない。
【０２２４】
これに対する解決方案に対して説明する。
【０２２５】
まず、下記の解決方案は、ＵＥのサービングセルと隣接セルとの間に互いにタイミングが合わない状況（ａｓｙｎｃｈｒｏｎｏｕｓ  ｃａｓｅ）を考慮し、ＵＥが隣接セルのＳＦＮ、サブフレームインデックスを知らなくても制限された（ｒｅｓｔｒｉｃｔｅｄ）測定を実行することができるように、測定サブフレームパターンは、サービングセルのタイミングを基準として設定されることを前提とする。このとき、サービングセルとは、ＣＡや二重接続（ｄｕａｌ  ｃｏｎｎｅｃｔｉｖｉｔｙ）のような環境を考慮する時、ＵＥのプライマリセル（ＰＣｅｌｌ）またはセカンダリセルグループ（ＳＣＧ）のｓＰＣｅｌｌ、または特定セカンダリセル（Ｓｃｅｌｌ）、または支援情報（ａｓｓｉｓｔａｎｃｅ  ｉｎｆｏｒｍａｔｉｏｎ）を送るセルである。
【０２２６】
第１の解決方案は、探索信号（ＤＳ）がＰＳＳ／ＳＳＳ／ＣＳＩ−ＲＳを含み、またはＰＳＳ／ＳＳＳ／ＣＲＳ／ＣＳＩ−ＲＳを含む例に対するものである。このように探索信号（ＤＳ）がＰＳＳ／ＳＳＳ／ＣＳＩ−ＲＳまたはＰＳＳ／ＳＳＳ／ＣＲＳ／ＣＳＩ−ＲＳを含む場合、ＵＥは、該当ＣＳＩ−ＲＳ（即ち、ＤＳ−ＣＳＩ−ＲＳ）を介してＲＳＲＰ／ＲＳＲＱ測定を実行することができる。このような場合、干渉を減らすために、ＤＳ−ＣＳＩ−ＲＳは、隣接したセルまたは送信ポイント（ＴＰ）間に互いに異なるスクランブリングインデックス及び／またはＲＥ位置を使用することで互いに直交（ｏｒｔｈｏｇｏｎａｌ）するように送信されることができる。したがって、このような場合、ＵＥは、ｅＮｏｄｅＢから受信された測定サブフレームパターンに指示されたサブフレーム上で制限された測定を実行する必要がなくなる。したがって、第１の解決方案は、ＵＥが探索信号（ＤＳ）ベースのＲＳＲＰ／ＲＳＲＱ測定を実行する場合（Ｄ−ＲＳＲＰ、Ｄ−ＲＳＲＱを測定する場合）、ＵＥが測定サブフレームパターンを受信しても、該当測定サブフレームパターンを無視して測定を実行することを提案する。この場合、ＵＥは、測定サブフレームパターン、即ち、ｍｅａｓＳｕｂｆｒａｍｅＰａｔｔｅｒｎＰＣｅｌｌ、ｍｅａｓＳｕｂｆｒａｍｅＰａｔｔｅｒｎＮｅｉｇｈをＣＲＳでＲＳＲＰ／ＲＳＲＱ測定を実行する場合にのみ適用することができる。
【０２２７】
第２の解決方案は、探索信号がＰＳＳ／ＳＳＳ／ＣＲＳを含み、またはＰＳＳ／ＳＳＳ／ＣＲＳ／ＣＳＩ−ＲＳを含む例に対するものである。
【０２２８】
探索信号（ＤＳ）がＰＳＳ／ＳＳＳ／ＣＲＳを含む場合、ＵＥは、該当ＣＲＳ（即ち、ＤＳ−ＣＲＳ）を介してＲＳＲＰ／ＲＳＲＱ測定を実行することができる。または、探索信号（ＤＳ）がＰＳＳ／ＳＳＳ／ＣＲＳ／ＣＳＩ−ＲＳを含む場合、ＵＥは、ＤＳ−ＣＲＳ及び／またはＤＳ−ＣＳＩ−ＲＳを利用してＲＳＲＰ／ＲＳＲＱ測定を実行することができる。このような状況で、ＵＥが測定サブフレームパターンを受信して設定した場合、ＵＥは、下記のようにＲＳＲＰ／ＲＳＲＱ測定を実行することができる。以下の内容は、探索信号（ＤＳ）にＤＳ−ＣＲＳが含まれている場合に対して説明するが、探索信号（ＤＳ）にＤＳ−ＣＲＳが含まれずに、ＤＳ−ＣＳＩ−ＲＳのみが含まれる場合にも（即ち、探索信号（ＤＳ）は、ＰＳＳ／ＳＳＳ／ＣＳＩ−ＲＳを含む場合）適用されることができる。
【０２２９】
第２の解決方案の第１の実施例として、ＵＥは、測定サブフレームパターンにより指示されたサブフレームのうち、探索信号測定タイミング設定（ＤＭＴＣ）により指示されたサブフレームと重なるサブフレーム上で探索信号ベースの測定を実行することができる。即ち、ＵＥが探索信号測定タイミング設定（ＤＭＴＣ）によって探索信号（ＤＳ）を介してＲＳＲＰ／ＲＳＲＱを測定する場合にも、前記ＵＥは、測定サブフレームパターンにより指示される制限されたサブフレーム上でのみ測定を実行しなければならない。即ち、ＵＥがＣＲＳだけでなく、探索信号測定タイミング設定（ＤＭＴＣ）によって探索信号（ＤＳ）を介してＲＳＲＰ／ＲＳＲＱ測定を実行する場合にも、測定サブフレームパターン、即ち、ｍｅａｓＳｕｂｆｒａｍｅＰａｔｔｅｒｎＰＣｅｌｌ、ｍｅａｓＳｕｂｆｒａｍｅＰａｔｔｅｒｎＮｅｉｇｈが適用されることができる。具体的な流れを図面を参照して説明すると、下記の通りである。
【０２３０】
図１８は、測定サブフレームパターンと探索信号測定タイミング設定（ＤＭＴＣ）を両方とも受信する場合、ＵＥが測定を実行するサブフレームを決定する過程を示す。
【０２３１】
図１８を参照して分かるように、ＵＥは、測定サブフレームパターンを受信する。そして、前記ＵＥが探索信号測定タイミング設定（ＤＭＴＣ）も受信する場合、前記ＵＥは、前記測定サブフレームパターンと前記探索信号測定タイミング設定の両方ともに基づいて、測定を実行するサブフレームを選択し、前記選択されたサブフレーム上で測定を実行する。具体的には、前記ＵＥは、測定サブフレームパターンにより指示されたサブフレームの中から探索信号測定タイミング設定（ＤＭＴＣ）により指示されたサブフレームと重なるサブフレームを選択する。これに対して図面を参照して例示的に説明すると、下記の通りである。
【０２３２】
図１９ａ及び図１９ｂは、測定サブフレームパターンと探索信号測定タイミング設定（ＤＭＴＣ）の両方ともに基づいて測定を実行するサブフレームを決定する例を示す。
【０２３３】
図１９ａに示すように、探索信号測定設定タイミング（ＤＭＴＣ）によると、探索信号（ＤＳ）が複数のサブフレーム（例えば、６個のサブフレーム）上で受信されることができる。このとき、ＤＳ−ＰＳＳ、ＤＳ−ＳＳＳは、前記サブフレームのうち一部（例えば、１個のサブフレーム）または全体サブフレーム上で受信されることができるが、ＤＳ−ＣＳＩ−ＲＳは、全体サブフレーム上で受信されることができる。
【０２３４】
図１９ｂを参照すると、探索信号測定タイミング設定（ＤＭＴＣ）により指示されたサブフレームのうち、測定サブフレームパターンにより指示されたサブフレームと重なるサブフレーム上でのみ、ＵＥは、測定を実行することができる。
【０２３５】
第２の解決方案の第２の実施例として、探索信号（ＤＳ）が、例えば、一つのサブフレームのように少ない数のサブフレームを介して送信されることを考慮すると、探索信号（ＤＳ）にＤＳ−ＣＲＳが含まれても、測定サブフレームパターンにより指示される制限されたサブフレーム上でのみ測定を実行することが無意味である。したがって、ＵＥは、探索信号（ＤＳ）でＲＳＲＰ／ＲＳＲＱ測定を実行する場合（即ち、Ｄ−ＲＳＲＰ、Ｄ−ＲＳＲＱを測定する場合）、測定サブフレームパターンを受信しても、該当測定サブフレームパターンを無視して測定を実行することができる。この場合、測定サブフレームパターン、即ち、ｍｅａｓＳｕｂｆｒａｍｅＰａｔｔｅｒｎＰＣｅｌｌ、ｍｅａｓＳｕｂｆｒａｍｅＰａｔｔｅｒｎＮｅｉｇｈは、ＵＥがＣＲＳでＲＳＲＰ／ＲＳＲＱ測定を実行する場合にのみ適用されることができる。より具体的に、ｍｅａｓＳｕｂｆｒａｍｅＰａｔｔｅｒｎＮｅｉｇｈが設定されると、ＵＥは、前記ｍｅａｓＳｕｂｆｒａｍｅＰａｔｔｅｒｎＮｅｉｇｈが含まれているｍｅａｓｕｒｅｍｅｎｔ  ｏｂｊｅｃｔ（または、隣接セルリスト）に属するセルの場合、ＣＲＳを送信すると仮定し、ＣＲＳベースの測定を実行することができる。即ち、測定サブフレームパターンを受信すると、前記ＵＥは、該当セルが常にＯＮされていると仮定することができる。または、基地局は、該当セルのＯＮ／ＯＦＦ状態を知らせて、該当セルがＯＮである場合には、前記ＵＥが前記測定サブフレームパターンにより指示される制限されたサブフレーム上でＣＲＳを使用して測定を実行するようにすることができる。それに対し、ＯＦＦである場合には、前記ＵＥは、測定サブフレームパターンを無視して、即ち、前記測定サブフレームパターンによるサブフレームの制限を受けずに、探索信号（ＤＳ）を使用して測定を実行することができる。ＵＥが該当セルの探索信号（ＤＳ）を検出し、または探索信号（ＤＳ）で測定を実行するように設定を受けた場合には、前記測定サブフレームパターンを無視して探索信号（ＤＳ）ベースの測定を実行する。ただし、ＵＥは、ＣＲＳベースの測定報告と探索信号ベースの測定を共に報告することができる。
【０２３６】
一方、探索信号（ＤＳ）に基づいてＲＳＲＰ／ＲＳＲＱ測定を実行する場合、探索信号（ＤＳ）の形態及び送信サブフレーム領域によって、測定サブフレームパターンを適用できるか否かが変わることがある。
【０２３７】
したがって、本明細書は、ＵＥが探索信号（ＤＳ）ベースのＲＳＲＰ／ＲＳＲＱ測定時、前記第１の実施例と前記第２の実施例のうちどの技法を使用するか（即ち、探索信号（ＤＳ）ベースのＲＳＲＰ／ＲＳＲＱ測定時、測定サブフレームパターンに指示される制限されたサブフレームが適用できるか否か）をｅＮｏｄｅＢがＵＥに上位層シグナリングを介して知らせることを提案する。具体的には、探索信号（ＤＳ）ベースのＲＳＲＰ／ＲＳＲＱ測定時、第１の実施例の技法と前記第２の実施例の技法のうちどの技法を使用するかは、周波数別にまたはＭｅａｓｕｒｅｍｅｎｔ  ｏｂｊｅｃｔ別に各々設定されることができる。このような設定は、ｍｅａｓＳｕｂｆｒａｍｅＰａｔｔｅｒｎＰＣｅｌｌとｍｅａｓＳｕｂｆｒａｍｅＰａｔｔｅｒｎＮｅｉｇｈが各々がまたは全体がＣＲＳベースのＲＳＲＰ／ＲＳＲＱ測定の場合にのみ適用されるか、またはＣＲＳだけでなく探索信号（ＤＳ）ベースのＲＳＲＰ／ＲＳＲＱ測定を実行する場合にも適用されるかを知らせる方式に設定されることもできる。具体的には、特定ｍｅａｓＳｕｂｆｒａｍｅＰａｔｔｅｒｎＮｅｉｇｈがＣＲＳベースのＲＳＲＰ／ＲＳＲＱ測定の場合にのみ適用されるか、またはＣＲＳだけでなく探索信号（ＤＳ）ベースのＲＳＲＰ／ＲＳＲＱ測定を実行する場合にも適用されるかは、Ｍｅａｓｕｒｅｍｅｎｔ  ｏｂｊｅｃｔ別に設定されることができる。ｍｅａｓＳｕｂｆｒａｍｅＰａｔｔｅｒｎＮｅｉｇｈは、Ｍｅａｓｕｒｅｍｅｎｔ  ｏｂｊｅｃｔ別に存在するため、Ｍｅａｓｕｒｅｍｅｎｔ  ｏｂｊｅｃｔにＣＲＳだけでなく探索信号（ＤＳ）ベースのＲＳＲＰ／ＲＳＲＱ測定を実行する場合にも適用されるかを指示する情報を含むことができる。これはネットワークに柔軟性を提供することができるという長所がある。
【０２３８】
III ．ＲＳＳＩ定義に対する改善
前述したように、既存定義によると、ＲＳＳＩは、ＣＲＳが含まれている特定のＯＦＤＭシンボル上での測定結果に基づいて算出される。しかし、このような既存定義を探索信号（ＤＳ）に対して適用すると、下記のように問題になることができる。隣接小規模セルがＯＦＦ状態で探索信号を送信する場合を仮定すると、この時には、ダウンリンクサブフレーム上で何らのデータが送信されないため、測定されたＲＳＳＩは不正確であり、それによって、ＲＳＲＱの算出も不正確になる問題点がある。
【０２３９】
これに対する解決方案として、下記のようにＲＳＳＩの定義を改善することができる。
【０２４０】
改善方案の第１の例示（Ｏｐｔｉｏｎ  Ａ）として、ＲＳＳＩ測定は、全体ＯＦＤＭシンボル上で実行されるように改善されることができる。
【０２４１】
改善方案の第２の例示（Ｏｐｔｉｏｎ  Ｂ）として、ＲＳＳＩ測定は、探索信号（ＤＳ）が送信されないシンボル（ｎｏｎ−ＤＳ−ｔｒａｎｓｍｉｔｔｉｎｇ  ｓｙｍｂｏｌ）上で実行されるように改善されることができる。
【０２４２】
改善方案の第３の例示（Ｏｐｔｉｏｎ  Ｃ）として、ＲＳＳＩ測定は、探索信号（ＤＳ）が送信されないサブフレーム（ｎｏｎ−ＤＳ−ｔｒａｎｓｍｉｔｔｉｎｇ  ｓｕｂｆｒａｍｅ）上で実行されるように改善されることができる。
【０２４３】
前記第１の例示（Ｏｐｔｉｏｎ  Ａ）に対して詳細に説明すると、次の通りである。ＲＳＳＩにより指示される干渉を正確に反映するために、探索信号（ＤＳ）が検出されるサブフレーム上の全体ＯＦＤＭシンボル上でＲＳＳＩが測定されるようにすることができる。これは、測定サブフレームパターンを適用する時、非常に効果的である。その理由は、測定サブフレームパターンがＡＢＳを考慮して決定されるためである。
【０２４４】
前記第２の例示（Ｏｐｔｉｏｎ  Ｂ）に対して詳細に説明すると、次の通りである。探索信号（ＤＳ）が送信されないシンボル（ｎｏｎ−ＤＳ−ｔｒａｎｓｍｉｔｔｉｎｇ  ｓｙｍｂｏｌ）上でＲＳＳＩ測定が実行されるようにすることは、次のように多様に分けられる。まず、探索信号（ＤＳ）が送信されないＯＦＤＭシンボルを使用してＲＳＳＩ測定を実行することができる（Ｏｐｔｉｏｎ  Ｂ−１）。次に、探索信号（ＤＳ）送信のために使われることができないＯＦＤＭシンボルを使用してＲＳＳＩ測定を実行することができる（Ｏｐｔｉｏｎ  Ｂ−２）。最後に、ｅＮｏｄｅＢにより設定されたまたはあらかじめ定義されたＯＦＤＭシンボルを使用してＲＳＳＩ測定を実行することができる（Ｏｐｔｉｏｎ  Ｂ−３）。
【０２４５】
以下、ＤＳ−ＰＳＳ／ＤＳ−ＳＳＳは、ＯＦＤＭシンボル＃５、＃６でない新しいＯＦＤＭシンボル領域を介して送信されることもできるが、説明の便宜のために、ＯＦＤＭ  ｓｙｍｂｏｌ＃５、＃６を介して送信されると仮定する。
【０２４６】
Ｏｐｔｉｏｎ  Ｂ−１をより具体的に説明すると、次の通りである。ＵＥは、ＲＳＳＩ測定を実行する対象セルまたは送信ポイント（ＴＰ）の探索信号（ＤＳ）が送信されないＯＦＤＭシンボルを使用してＲＳＳＩ  ｍｅａｓｕｒｅｍｅｎｔを使用することができる。例えば、特定セルまたは送信ポイント（ＴＰ）の探索信号（ＤＳ）がＤＳ−ＰＳＳ／ＤＳ−ＳＳＳ（ＯＦＤＭシンボル＃５、＃６上で送信される）、ＤＳ−ＣＲＳ（ＯＦＤＭシンボル＃０、＃４、＃７、＃１１上で送信される）を含む場合、ＵＥは、探索信号（ＤＳ）が送信されないＯＦＤＭシンボル＃１、＃２、＃３、＃８、＃９、＃１０、＃１２、＃１３を使用してＲＳＳＩ測定を実行することができる。
【０２４７】
他の例として、特定セルまたは送信ポイント（ＴＰ）の探索信号（ＤＳ）がＤＳ−ＰＳＳ／ＤＳ−ＳＳＳ（ＯＦＤＭシンボル＃５、＃６上で送信される）、ＤＳ−ＣＳＩ−ＲＳ（ＯＦＤＭシンボル＃９、＃１０上で送信される）を含む場合、ＵＥは、探索信号（ＤＳ）が送信されないＯＦＤＭシンボル＃０、＃１、＃２、＃３、＃４、＃７、＃８、＃１１、＃１２、＃１３上でＲＳＳＩ測定を実行するようになる。
【０２４８】
また、探索信号（ＤＳ）がＤＳ−ＰＳＳ／ＤＳ−ＳＳＳ／ＤＳ−ＣＲＳ／ＤＳ−ＣＳＩ−ＲＳを含む場合、測定を実行するセルまたは送信ポイント（ＴＰ）で各々のＲＳが全て送信されないＯＦＤＭシンボル領域上でＲＳＳＩ測定を実行するようになる。または、共有セルＩＤ運営環境を考慮して、ＤＳ−ＣＳＩ−ＲＳが送信されないＯＦＤＭシンボル領域上でＲＳＳＩ測定を実行することもできる。
【０２４９】
このような技法で、ＵＥは、ＲＳＳＩ測定を実行する対象セルまたは送信ポイント（ＴＰ）の探索信号（ＤＳ）のうち、測定実行のためのＲＳ（ＤＳ−ＣＲＳ及び／またはＤＳ−ＣＳＩ−ＲＳ）が送信されないＯＦＤＭシンボル上でＲＳＳＩ測定を実行することができる。
【０２５０】
Ｏｐｔｉｏｎ  Ｂ−２をより具体的に説明すると、次の通りである。まず、探索信号（ＤＳ）がＤＳ−ＰＳＳ／ＤＳ−ＳＳＳ／ＤＳ−ＣＲＳを含む場合、ＵＥは、ＤＳ−ＰＳＳ／ＤＳ−ＳＳＳ／ＤＳ−ＣＲＳが送信されることができる候補（ｃａｎｄｉｄａｔｅ）ＯＦＤＭシンボル領域を除外した残りのシンボル領域上でＲＳＳＩ測定を実行することができる。このような技法で、ＵＥは、測定実行のためのＲＳ（ＤＳ−ＣＲＳ及び／またはＤＳ−ＣＳＩ−ＲＳ）が送信されることができる候補（ｃａｎｄｉｄａｔｅ）ＯＦＤＭシンボルを除外した残りのシンボル領域上でＲＳＳＩ測定を実行することができる。即ち、このような場合には、下記の例題で言及したＲＳＳＩ測定のためのＯＦＤＭシンボルの領域の中から測定に使われるＲＳが送信されないシンボル領域は除外される。ＤＳ−ＰＳＳ、ＤＳ−ＳＳＳのみが送信されるＯＦＤＭシンボル領域は、ＤＳ−ＰＳＳ、ＤＳ−ＳＳＳが送信されるＯＦＤＭシンボル領域もＲＳＳＩ測定から除外する場合を考慮すると、例えば、ＦＤＤを基準にして説明すると、ＤＳ−ＣＲＳが送信されるＯＦＤＭシンボル領域が特定セルではＯＦＤＭシンボル＃０、＃４、＃７、＃１１と同じであり、他のセルではＯＦＤＭシンボル＃０、＃１、＃４、＃５、＃７、＃８、＃１１、＃１２と同じである。この場合、ＵＥは、ＯＦＤＭシンボル＃０、＃１、＃４、＃５、＃６、＃７、＃８、＃１１、＃１２を除外した残りのＯＦＤＭシンボル領域上でＲＳＳＩ測定を実行することができる。このようなＲＳＳＩ測定のためのＯＦＤＭシンボル領域は、ＤＳ−ＣＲＳが送信されるアンテナポートの個数によって変わることができる。アンテナポート０、１を介してはＤＳ−ＣＲＳがＯＦＤＭシンボル＃０、＃４、＃７、＃１１上では送信されるが、アンテナポート２、３を介してはＤＳ−ＣＲＳがＯＦＤＭシンボル＃０、＃１、＃４、＃５、＃７、＃８、＃１１、＃１２上で送信される。したがって、ＤＳ−ＣＲＳが有することができるアンテナポートの個数によってＲＳＳＩ測定を実行するＯＦＤＭシンボル領域が変わることができる。即ち、ＤＳ−ＣＲＳが有することができるアンテナポートの個数が１及び／または２の場合、ＵＥは、ＯＦＤＭシンボル＃０、＃４、＃５、＃６、＃７、＃１１を除外した残りのＯＦＤＭシンボル領域上でＲＳＳＩ測定を実行することができる。しかし、ＤＳ−ＣＲＳが有することができるアンテナポートの個数が１〜４の場合、ＵＥは、ＯＦＤＭシンボル＃０、＃１、＃４、＃５、＃６、＃７、＃８、＃１１、＃１２を除外した残りのＯＦＤＭシンボル領域上でＲＳＳＩ測定を実行することができる。このようなＤＳ−ＣＲＳが有することができるアンテナポートの個数は、周波数毎に異なり、このような場合、ＵＥは、周波数毎に設定を受けたＤＳ−ＣＲＳのアンテナポートの個数を使用して他のＯＦＤＭシンボル領域上でＲＳＳＩ測定を実行しなければならない。
【０２５１】
探索信号（ＤＳ）がＤＳ−ＰＳＳ／ＤＳ−ＳＳＳ／ＤＳ−ＣＳＩ−ＲＳを含む場合、ＵＥは、ＤＳ−ＰＳＳ／ＤＳ−ＳＳＳ／ＤＳ−ＣＳＩ−ＲＳが送信されることができる候補（ｃａｎｄｉｄａｔｅ）ＯＦＤＭシンボル領域を除外した残りのシンボル領域上でＲＳＳＩ測定を実行することができる。例えば、ＦＤＤを基準にして説明すると、ＤＳ−ＣＳＩ−ＲＳが全てのＣＳＩ−ＲＳＲＥ設定を有することができるとする時、ＤＳ−ＣＳＩ−ＲＳは、ＯＦＤＭシンボル＃５、＃６、＃９、＃１０、＃１２、＃１３上で送信されることができる。この場合、ＵＥは、ＯＦＤＭシンボル＃５、＃６、＃９、＃１０、＃１２、＃１３を除外した残りのＯＦＤＭシンボル領域上でＲＳＳＩ測定を実行することができる。特に、ＺＰ（ｚｅｒｏ−ｐｏｗｅｒ）ＣＳＩ−ＲＳ設定を介して他のセルまたは送信ポイント（ＴＰ）のＤＳ−ＣＳＩ−ＲＳが送信されることができるＲＥ領域上にデータをミューティング（ｍｕｔｉｎｇ）させることを仮定する時、ＵＥは、ＺＰ  ＣＳＩ−ＲＳに設定されないＯＦＤＭシンボル領域上でＲＳＳＩ測定を実行することができる。ＤＳ−ＣＳＩ−ＲＳが送信されることができるＯＦＤＭシンボル領域は、ＦＤＤとＴＤＤの場合に互いに異なるため、ＵＥがＲＳＳＩ測定を実行するＯＦＤＭシンボル領域は、ＵＥがｍｅａｓｕｒｅｍｅｎｔを実行するｆｒｅｑｕｅｎｃｙのＦＤＤ／ＴＤＤ  ｔｙｐｅによって変わることができる。
【０２５２】
探索信号（ＤＳ）がＤＳ−ＰＳＳ／ＤＳ−ＳＳＳ／ＤＳ−ＣＲＳ／ＤＳ−ＣＳＩ−ＲＳを含む場合、ＵＥは、（測定を実行する周波数で）各々のＲＳが全て送信されることができないＯＦＤＭシンボル領域上でＲＳＳＩ測定を実行するようになる。または、共有セルＩＤ運営環境を考慮して、ＤＳ−ＣＳＩ−ＲＳが送信されることができないＯＦＤＭシンボル領域上でＲＳＳＩ測定を実行することもできる。このようなＯｐｔｉｏｎ  Ｂ−２を使用することは、隣接セルが有することができる全ての探索信号（ＤＳ）がＲＳＳＩ測定に影響を及ぼすことを防止するためである。
【０２５３】
Ｏｐｔｉｏｎ  Ｂ−３では、ＵＥは、あらかじめ定義されたＯＦＤＭシンボル領域またはｅＮｏｄｅＢから設定を受けたＯＦＤＭシンボル領域上でＲＳＳＩ測定を実行する。ｅＮｏｄｅＢからＲＳＳＩ測定のためのＯＦＤＭシンボル領域の設定を受ける場合、このようなＲＳＳＩ測定のためのＯＦＤＭシンボル領域は、周波数別に設定することができる。
【０２５４】
このとき、ＵＥがあらかじめ定義されたＯＦＤＭシンボル領域でＲＳＳＩ測定を実行する場合、ＲＳＳＩ測定のためのＯＦＤＭシンボル領域は、第１のスロット内のＯＦＤＭシンボル＃０、＃１、＃２、＃３ｉｎに定められる。このような領域は、ＤＳ−ＰＳＳ、ＤＳ−ＳＳＳ、ＤＳ−ＣＳＩ−ＲＳなどの位置を最大限に排除した位置であり、ＤＳ−ＣＲＳを一部を含んでＲＳＳＩ値がほぼゼロ（ｚｅｒｏ）値になることを防止することができる。また、ＤＳ−ＣＲＳが探索信号（ＤＳ）に含まれない場合、ＯＮ状態で送信されるＣＲＳをＲＳＳＩ測定に含ませることによって、より正確なＲＳＳＩ値を測定するようにする。または、ＲＳＳＩ測定のためのＯＦＤＭシンボル領域は、第１のスロットのＯＦＤＭシンボル＃１、＃２、＃３に定められる。このような領域は、ＤＳ−ＰＳＳ、ＤＳ−ＳＳＳ、ＤＳ−ＣＳＩ−ＲＳ、ＤＳ−ＣＲＳなどの位置を最大限に排除した位置である。
【０２５５】
一方、共有セルＩＤ運営環境を仮定すると、ＤＳ−ＰＳＳ／ＤＳ−ＳＳＳ（／ＤＳ−ＣＲＳ）でＰＣＩＤを検出し、ＤＳ−ＣＳＩ−ＲＳで送信ポイントのＩＤ（ＴＰＩＤ）を検出することができる。このとき、ＴＰＩＤ  ＤＳ−ＣＳＩ−ＲＳのＲＥ設定インデックスまたはスクランブリングインデックス（または、ＲＥ設定インデックスとスクランブリングインデックスを介して設定されるインデックス）を意味する。この場合、特定ＰＣＩＤに対するセル（クラスタ）のＲＳＲＰ／ＲＳＲＱ測定は、ＤＳ−ＣＲＳを使用して実行し、同じＰＣＩＤを使用する各送信ポイント（ＴＰ）（即ち、クラスタ内の各送信ポイント（ＴＰ））に対するＲＳＲＰ／ＲＳＲＱ測定は、ＤＳ−ＣＳＩ−ＲＳを使用して実行することができる。このとき、ＤＳ−ＣＲＳを使用して特定ＰＣＩＤに対するセル（クラスタ）のＲＳＳＩ測定を実行するＯＦＤＭシンボル領域と、ＤＳ−ＣＳＩ−ＲＳを使用して送信ポイント（ＴＰ）に対するＲＳＳＩ測定を実行するＯＦＤＭシンボル領域が互いに異なる。例えば、ＤＳ−ＣＲＳを使用して特定ＰＣＩＤに対するセル（または、クラスタ）のＲＳＳＩ測定を実行するＯＦＤＭシンボル領域が、ＤＳ−ＣＲＳが送信される全体または一部ＯＦＤＭシンボル領域を含む時、ＤＳ−ＣＳＩ−ＲＳを使用して送信ポイント（ＴＰ）に対するＲＳＳＩ測定を実行する場合には、ＤＳ−ＣＲＳが送信されるＯＦＤＭシンボル領域を測定のためのシンボル領域から除外することができる。例えば、ＤＳ−ＣＲＳを使用してセル（または、クラスタ）のＲＳＲＰ／ＲＳＲＱを測定する時、ＲＳＳＩ測定を実行するＯＦＤＭシンボル領域は、ＯＦＤＭシンボルの第１のスロットの＃０、＃１、＃２、＃３と同じである。しかし、ＤＳ−ＣＳＩ−ＲＳを使用して送信ポイント（ＴＰ）のＲＳＲＰ／ＲＳＲＱを測定する時、ＲＳＳＩ測定を実行するＯＦＤＭシンボル領域は、ＤＳ−ＣＲＳが送信されるＯＦＤＭシンボル領域を除外して第１のスロットのＯＦＤＭシンボル＃１、＃２、＃３と同じである。
【０２５６】
前記第３の例示（Ｏｐｔｉｏｎ  Ｃ）（即ち、探索信号（ＤＳ）が送信されないサブフレーム上でのＲＳＳＩ測定）に対して詳細に説明すると、次の通りである。前記第２の例示（Ｏｐｔｉｏｎ  Ｂ）は、ＵＥがＲＳＳＩを探索信号（ＤＳ）が送信されないＯＦＤＭシンボル（ｎｏｎ−ＤＳ−ｔｒａｎｓｍｉｔｔｅｄ  ＯＦＤＭシンボル）上で測定するようにし、このとき、探索信号（ＤＳ）が占めるＯＦＤＭシンボルの量が多い場合、ＲＳＳＩ測定を実行するＯＦＤＭシンボルの量が十分でない。これを解決するために第３の例示（Ｏｐｔｉｏｎ  Ｃ）は、ＵＥがＲＳＳＩ測定を探索信号（ＤＳ）が送信されないサブフレーム上で実行するようにすることができる。この場合、ｅＮｏｄｅＢがＵＥにＲＳＳＩ測定を実行するサブフレーム位置を知らせることもできるが、シグナリングオーバーヘッドなどを減らすためにまたは設定が必要でない状況を考慮して、ＵＥが黙示的（ｉｍｐｌｉｃｉｔ）にＲＳＳＩ測定を実行するサブフレームの位置を知るようにすることができる。ＵＥは、ｅＮｏｄｅＢから探索信号測定タイミング設定（ＤＭＴＣ）を受けることができる。このような探索信号測定タイミング設定（ＤＭＴＣ）は、周期及びオフセット値を含むことができ、追加的に区間（ｄｕｒａｔｉｏｎ）の値も含むことができる。したがって、ここでは、ＵＥが測定を実行するセルまたは送信ポイント（ＴＰ）のＰＣＩＤ（ＴＰＩＤ）を検出したサブフレームの次の（ｎｅｘｔ）サブフレームでＲＳＳＩ測定を実行することを提案する。または、探索信号測定タイミング設定（ＤＭＴＣ）内に周期及びオフセット値が含まれている場合、ＵＥは、該当設定が示すサブフレーム位置（即ち、ｎ番目のサブフレーム）の一つ前のサブフレーム（即ち、ｎ−１番目のサブフレーム）または次のサブフレーム（即ち、ｎ＋１番目のサブフレーム）上でＲＳＳＩ測定を実行するようにすることを提案する。または、該当設定が示すサブフレーム位置（即ち、ｎ番目のサブフレーム）の一つ前のサブフレーム（即ち、ｎ−１番目のサブフレーム）または次のサブフレーム（即ち、ｎ＋１番目のサブフレーム）を含むサブフレーム上でＵＥがＲＳＳＩ測定を実行するようにすることを提案する。または、該当設定が示すサブフレーム位置外のサブフレーム上でＵＥがＲＳＳＩ測定を実行するようにすることを提案する。このようなオプションは、全てのセルまたは送信ポイント（ＴＰ）が同じサブフレームで探索信号（ＤＳ）を送信し、探索信号（ＤＳ）は１個のサブフレームを含む場合に有用である。
【０２５７】
前述したように、探索信号測定タイミング設定（ＤＭＴＣ）は、周期及びオフセット値と追加的に区間（ｄｕｒａｔｉｏｎ）の値も含むことができる。この場合、ＵＥは、ｅＮｏｄｅＢから探索信号測定タイミング設定（ＤＭＴＣ）を受けた時、受信したタイミング区間外のサブフレーム上でＲＳＳＩ測定を実行することができる。このとき、ＵＥは、前記設定内に指示されたタイミング区間が終わって次のサブフレーム上でＲＳＳＩ測定を実行することができる。
【０２５８】
ＵＥがＲＳＳＩ測定を探索信号（ＤＳ）が送信されないサブフレーム上で実行する他の方法として、特定区間の間のサブフレーム上でＵＥがＲＳＳＩ測定を実行するようにすることを提案する。このとき、実際探索信号（ＤＳ）は、該当区間の一部サブフレーム上でのみ受信されることもできる。このような測定方法の一例として、ＵＥは、実際探索信号（ＤＳ）が送信されるサブフレームの位置を考慮せずに、特定区間の間の各サブフレーム上でＲＳＳＩを測定して得たＲＳＳＩ値を平均することで、ＲＳＳＩ測定を報告することができる。このとき、該当区間の値は、前記探索信号測定タイミング設定（ＤＭＴＣ）に含まれることができる。または、該当区間の値は、探索信号（ＤＳ）が送信されることが期待される区間値外に別途にｅＮｏｄｅＢから設定を受けたＲＳＳＩ測定のための区間値である。または、ＵＥは、ＲＳＳＩ測定のための別途のタイミング設定（周期、オフセット及び／または区間）の設定を受けて、該当区間の間のサブフレームを上でＲＳＳＩ測定を実行し、前記該当区間中に測定されたＲＳＳＩ値を平均して報告することもできる。
【０２５９】
他方、ｅＮｏｄｅＢは、前述したＯｐｔｉｏｎ  Ａの技法とＯｐｔｉｏｎ  Ｂの技法のうちどの技法を使用してＲＳＳＩ測定を実行するかをＵＥに設定することができる。具体的には、このような設定は、周波数別に行われることができる。即ち、ＵＥが探索信号（ＤＳ）を使用したＲＳＳＩ測定を実行する場合、ｅＮｏｄｅＢは、ＵＥが（Ｏｐｔｉｏｎ  Ａと同様に）探索信号（ＤＳ）が受信されるサブフレーム上の全てのＯＦＤＭシンボル領域上でＲＳＳＩ測定を実行すべきか、または（Ｏｐｔｉｏｎ  Ｂと同様に）探索信号（ＤＳ）が受信されないまたは受信されることができない（一部）ＯＦＤＭシンボル領域上でＲＳＳＩ測定を実行すべきかをＵＥに設定することができる。
【０２６０】
もし、上位層がＲＳＳＩを全てのＯＦＤＭシンボル上で実行することを指示する場合、ＵＥは、測定のためのサブフレーム内の全てのシンボル上でＲＳＳＩを測定することができる。ただし、ｅＮｏｄｅＢは、ＵＥに（特定周波数に対して）Ｏｐｔｉｏｎ  Ｂ技法を使用して探索信号（ＤＳ）ベースのＲＳＳＩ測定を実行することを設定し、その一方、ＵＥに全てのＯＦＤＭシンボル上でＲＳＳＩ測定を実行することを設定することもできる。このような場合、ＵＥは、探索信号（ＤＳ）ベースの測定を実行すべきセルまたは送信ポイント（ＴＰ）に対してはＯｐｔｉｏｎ  Ｂの技法を介して測定を実行し、既存技法の通りに測定すべきセルまたは送信ポイント（ＴＰ）に対しては上位層シグナルによって、全てのＯＦＤＭシンボル上でＲＳＳＩ測定を実行することができる。これを一般化させると、ＵＥは、既存技法により測定を実行するセルまたは送信ポイント（ＴＰ）に対しては既存技法による測定を実行し、探索信号（ＤＳ）ベースの測定を実行するセルまたは送信ポイント（ＴＰ）に対しては探索信号（ＤＳ）関連設定によって測定を実行することができる。
【０２６１】
その代案としては、ＵＥは、全てのＯＦＤＭシンボル上でＲＳＳＩ測定を実行しろという上位層シグナリングを無視し、Ｏｐｔｉｏｎ  Ｂの技法を介して測定を実行することができる。これを一般化させると、ＵＥは、既存技法により測定を実行するセルまたは送信ポイント（ＴＰ）と探索信号（ＤＳ）ベースの測定を実行するセルまたは送信ポイント（ＴＰ）の両方ともに対して探索信号（ＤＳ）関連設定が最も優先すると仮定し、全てのセルまたは送信ポイント（ＴＰ）に対して探索信号（ＤＳ）設定に従うことができる。
【０２６２】
他方、上位層がＲＳＳＩ測定を全てのＯＦＤＭシンボル上で実行することを指示する場合、このような上位層の指示は、探索信号（ＤＳ）を使用したＲＳＳＩ測定にも適用されることができる。
【０２６３】
このとき、このような上位層シグナルは、ＵＥがＲＳＳＩ測定のために使用するＯＦＤＭシンボル領域の設定に優先順位を有することを提案する。具体的には、ＵＥは、基本的に（Ｏｐｔｉｏｎ  Ｂと同様に）探索信号（ＤＳ）が受信されないまたは受信されることができない（一部）ＯＦＤＭシンボル領域上でＲＳＳＩ測定を実行することを仮定するが、ｅＮｏｄｅＢから全てのＯＦＤＭシンボル領域を使用してＲＳＳＩ測定を実行しろという上位層シグナルを受けると、（Ｏｐｔｉｏｎ  Ａと同様に）探索信号（ＤＳ）が送信されるサブフレームで全てのＯＦＤＭシンボル領域を使用してＲＳＳＩ測定を実行することができる。
【０２６４】
または、ＯＦＦ状態にあるセルの探索信号（ＤＳ）によりＲＳＳＩが過大測定（ｏｖｅｒ−ｅｓｔｉｍａｔｉｏｎ）される現象を防止するために、ＵＥは、全てのＯＦＤＭシンボルでＲＳＳＩを測定しろという上位層シグナルを受信しても、該当シグナルを無視することができる。例えば、ＵＥは、（Ｏｐｔｉｏｎ  Ｂと同様に）探索信号（ＤＳ）が受信されないまたは受信されることができない（一部）ＯＦＤＭシンボル領域上でＲＳＳＩ測定を実行し、ｅＮｏｄｅＢから全てのＯＦＤＭシンボル領域上でＲＳＳＩ測定を実行しろという上位層シグナルを受けてもこれを無視し（Ｏｐｔｉｏｎ  Ｂと同様に）、探索信号（ＤＳ）が受信されないまたは受信されることができない（一部）ＯＦＤＭシンボル領域上でＲＳＳＩ測定を実行することができる。
【０２６５】
ＵＥがｅＮｏｄｅＢから制限されたサブフレーム上で測定を実行しろという測定サブフレームパターンを受信する場合、ＵＥは、前記制限されたサブフレーム内の全てのＯＦＤＭシンボル上でＲＳＳＩ測定を実行するようになる。
【０２６６】
このとき、具体的には、ＵＥは、基本的に（Ｏｐｔｉｏｎ  Ｂと同様に）探索信号（ＤＳ）が受信されないまたは受信されることができない（一部）ＯＦＤＭシンボル領域上でＲＳＳＩ測定を実行することを仮定するが、ＵＥがｅＮｏｄｅＢから測定サブフレームパターンを受信する場合、前記制限されたサブフレームのうち探索信号（ＤＳ）が受信されるサブフレーム内の全てのＯＦＤＭシンボル領域上でＲＳＳＩ測定を実行することができる。
【０２６７】
または、ＯＦＦ状態にあるセルの探索信号（ＤＳ）によりＲＳＳＩが過大測定（ｏｖｅｒ−ｅｓｔｉｍａｔｉｏｎ）される現象を防止するために、ＵＥは、ｅＮｏｄｅＢから測定サブフレームパターンを受信する場合、制限されたサブフレームで（Ｏｐｔｉｏｎ  Ｂと同様に）探索信号（ＤＳ）が受信されないまたは受信されることができない（一部）ＯＦＤＭシンボル領域上でＲＳＳＩ測定を実行することができる。
【０２６８】
または、ＯＦＦ状態のセルの探索信号（ＤＳ）によりＲＳＳＩが過大測定（ｏｖｅｒ−ｅｓｔｉｍａｔｉｏｎ）される現象を防止するために、ＵＥは、ｅＮｏｄｅＢから測定サブフレームパターンを受信する場合、前記測定サブフレームパターンの設定を無視することができる。
【０２６９】
他方、探索信号（ＤＳ）がＰＳＳ／ＳＳＳ／ＣＲＳ／ＣＳＩ−ＲＳを含む場合（具体的には、探索信号がＤＳ−ＣＳＩ−ＲＳを含む場合）、ＵＥは、全てのＯＦＤＭシンボル領域上でＲＳＳＩ測定を実行しろという指示を受けてもかまわず（Ｏｐｔｉｏｎ  Ｂと同様に）探索信号（ＤＳ）が受信されないまたは受信されることができない（一部）ＯＦＤＭシンボル領域上でＲＳＳＩ測定を実行することができる。それに対し、探索信号（ＤＳ）がＰＳＳ／ＳＳＳ／ＣＲＳを含む時（即ち、探索信号がＤＳ−ＣＳＩ−ＲＳを含まない時）、ＵＥは、全てのＯＦＤＭシンボル領域上でＲＳＳＩ測定を実行しろという指示を受ける場合、前記ＵＥは、該当指示によって全てのＯＦＤＭシンボル上でＲＳＳＩ測定を実行し、該当指示を受信しない場合、既存ＲＳＳＩ測定のようにＣＲＳ（ＤＳ−ＣＲＳ）が受信されるＯＦＤＭシンボル上でのみＲＳＳＩ測定を実行することができる。これはＤＳ−ＣＳＩ−ＲＳが設定された場合には、ＵＥが新しいＲＳＳＩ測定方式に従い、ＤＳ−ＣＳＩ−ＲＳが設定されない場合には、ＵＥが既存の技法の通りにＲＳＳＩ測定を実行するようにする方法である。
【０２７０】
具体的には、ＤＳ−ＰＳＳ／ＤＳ−ＳＳＳが受信されるＯＦＤＭシンボル上でＲＳＳＩ測定を実行する場合、ＤＳ−ＰＳＳ／ＤＳ−ＳＳＳが受信される帯域幅（例えば、中心６個のＰＲＢ）領域では、ＤＳ−ＰＳＳ／ＤＳ−ＳＳＳが受信されるＯＦＤＭシンボル領域上でまたは全てのシンボル領域上でＲＳＳＩ測定を実行しない。または、具体的には、探索信号（ＤＳ）が受信されるサブフレームでＲＳＳＩ測定を実行する時、中心６個のＰＲＢを除外した領域上ではＲＳＳＩ測定を実行しない。これは中心６個のＰＲＢ内で探索信号（ＤＳ）が占めるリソースの量が多くて探索信号（ＤＳ）に偏向（ｂｉａｓ）されたＲＳＳＩ測定結果が示すことを防止するためである。または、探索信号（ＤＳ）が受信されないシンボル領域上でのみＲＳＳＩ測定を実行する時、探索信号（ＤＳ）が受信されるＯＦＤＭシンボル領域が多くて中心６個のＰＲＢ内ではＲＳＳＩ測定を実行するシンボルリソースが十分でない時、ＲＳＳＩ測定を実行するためである。
【０２７１】
IV．ＣＳＩ／ＣＱＩ測定
まず、前述したように、ＲＳＳＩをどのように測定できるかは様々な方案が存在し、このようにＲＳＳＩ測定方案の多様化によって、ＣＱＩも影響を受けることができる。したがって、以下、下記を提案する。
【０２７２】
ＣＱＩ干渉測定のために、ＵＥは、探索信号が含まれるＯＦＤＭシンボル（または、与えられたサブフレームで探索信号が含まれるＯＦＤＭシンボル上では干渉を測定しない。）、例えば、ＣＲＳが探索信号に含まれる場合、探索信号タイミング設定によって探索信号が受信され、ＣＲＳが含まれるＯＦＤＭシンボル上では干渉が測定されない。
【０２７３】
ＣＱＩ干渉測定のために探索信号が受信されるサブフレームと異なるサブフレーム上で探索信号（ＤＳ）ベースのＲＳＳＩが測定される場合、ＣＱＩ干渉を計算する時には探索信号が受信されるサブフレームは除外されなければならない。したがって、ＵＥは、ＣＱＩ測定の干渉測定に対しては、ＤＳが受信されるサブフレームは使用しない。即ち、ＣＱＩ干渉測定はＲＳＳＩ定義に従う。
【０２７４】
非周期的なＣＱＩ測定のために、非周期的なＣＳＩ要求により指示されたダウンリンクサブフレームが、探索信号設定によって探索信号が受信されるサブフレームである場合、ＵＥは、前記サブフレームを有効なダウンリンクサブフレームとして見なさない。その代案としては、このようなサブフレームは、ネットワークスケジューリングにより除外されることができる。それによると、前記サブフレーム上に対して非周期的なＣＳＩ要求が存在すると、ＵＥは、探索信号が受信されるサブフレームを依然として有効なサブフレームとして見なすことができる。
【０２７５】
非周期的なＣＱＩ要求に対し、もし、非周期的なＣＳＩ要求により指示されたダウンリンクサブフレームがＤＭＴＣにより指示されたサブフレーム内に含まれると、該当サブフレームは、有効なダウンリンクサブフレームでないと考慮されることができる。その代案としては、このようなサブフレームは、ネットワークスケジューリングにより除外されることができる。それによると、前記サブフレーム上に対して非周期的なＣＳＩ要求が存在すると、ＵＥは、探索信号が受信されるサブフレームを依然として有効なサブフレームとして見なすことができる。
【０２７６】
Ｖ．ＲＳＳＩ測定サブフレーム
小規模セル環境で小規模セル間にタイミングが同期されていない場合、セル間に同じ探索信号（ＤＳ）送信タイミングを有しても、各セルが実際探索信号（ＤＳ）を送信するタイミングは、互いに異なる。例えば、図面を参照して説明する。
【０２７７】
図２０は、セル間に探索信号の送信タイミングが異なる例を示す。
【０２７８】
図２０を参照して分かるように、セル＃１、セル＃２、…、セル＃５の探索信号（ＤＳ）が全て同じようにサブフレーム＃ｎ、＃ｎ＋１、…、＃ｎ＋４で送信されても、各セル間にサブフレームタイミングが一致しない場合、各セルが探索信号（ＤＳ）を送信する時点は、互いに異なる。
【０２７９】
このような状況で、特定ＵＥのサービングセルをセル＃１とする時、ＵＥが探索信号（ＤＳ）ベースのＲＳＳＩ（または、ＤＳＳＩという）測定を実行しようとする場合、セルのタイミング同期が合わない問題のため、測定を実行するサブフレームの位置の構成によって測定されるＤＳＳＩ値が変わる問題が発生できる。したがって、以下ではこのような問題の解決のために、下記のようなサブフレーム区間で探索ＤＳＳＩを測定することを提案する。
【０２８０】
第１の方案は、ＵＥは、ＤＳＳＩの測定のために、ＤＭＴＣによって探索信号（ＤＳ）を送信する隣接セルが共通的に探索信号（ＤＳ）を送信するサブフレーム区間を把握して、該当サブフレーム区間のみを使用してＤＳＳＩを測定することを提案する。例えば、図２０に示すように、ＵＥがサービングセルであるセル＃１と隣接セルであるセル＃２、セル＃３、セル＃４、セル＃５の探索信号（ＤＳ）送信タイミングを知る場合、セル＃１、…、セル＃５が共通的に探索信号（ＤＳ）を送信するサブフレーム領域であるサブフレーム＃ｎ＋１、＃ｎ＋２、＃ｎ＋３のみをＤＳＳＩ測定に使用することができる。さらには、ＴＤＤの場合、このような問題がないため、このような設定は、ＦＤＤである場合に限定するということができる。併せて、探索信号（ＤＳ）ベースのＲＳＲＰとＲＳＳＩが測定されるサブフレームの整列を合わせるために、ＤＳＳＩに測定に使われる区間でのみ探索信号（ＤＳ）ベースのＲＳＲＰ測定を実行すると仮定することができる。
【０２８１】
第２の方案は、ｅＮｏｄｅＢがＵＥにＤＳＳＩの測定のために使用するサブフレームの位置を設定することを提案する。例えば、ＤＳＳＩ測定のためのサブフレーム位置は、ＤＭＴＣ内に含まれて設定されることができ、ＤＳＳＩ測定のためのサブフレーム位置を表現するために、下記のような値が設定されることができる。
【０２８２】
−ＤＳＳＩ測定のためのサブフレームの開始点を示すための、ＤＭＴＣ区間開始点からのオフセット値
【０２８３】
−ＤＳＳＩ測定のためのサブフレームの区間値
【０２８４】
この場合、ＵＥは、ＤＭＴＣ区間内で設定を受けた‘ＤＳＳＩ測定のためのサブフレーム’のみをＤＳＳＩの測定に使用することができる。併せて、探索信号（ＤＳ）ベースのＲＳＲＰとＲＳＳＩが測定されるサブフレームの整列を合わせるために、ＤＳＳＩに測定に使われる区間でのみ探索信号（ＤＳ）ベースのＲＳＲＰ測定を実行すると仮定することができる。
【０２８５】
第３の方案は、ＵＥがＤＳＳＩの測定のために実際探索信号（ＤＳ）が送信されるサブフレーム位置に関係なしにＤＭＴＣ区間全体をＤＳＳＩ測定に使用することを提案する。例えば、サブフレーム＃ｎ〜＃ｎ＋４がＤＭＴＣに設定され、サブフレーム＃ｎ〜＃ｎ＋２でのみサービングセルの探索信号（ＤＳ）が送信されるとしても、ＵＥは、ＤＭＴＣ区間であるサブフレーム＃ｎ〜＃ｎ＋４でＤＳＳＩを測定することができる。併せて、探索信号（ＤＳ）ベースのＲＳＲＰとＲＳＳＩが測定されるサブフレームの整列を合わせるために、ＤＳＳＩに測定に使われる区間でのみ探索信号（ＤＳ）ベースの（ｂａｓｅｄ）ＲＳＲＰ測定を実行すると仮定することができる。
【０２８６】
第４の方案は、ＵＥは、ＤＭＴＣを介して指示した区間中に探索信号（ＤＳ）が受信されるように、ネットワークが調整すると仮定する。しかし、このような場合にもセル間同期が合わない場合、サブフレーム境界がずれるため、セル間一サブフレームの最大の差がある場合がある。したがって、このような場合、ＤＭＴＣの開始点と終了点で干渉の変動が発生されることができる（例えば、いくつかのセルのみが探索信号（ＤＳ）を送信することができる）。したがって、端末は、ＤＭＴＣが受信されると、前／後１ｍｓｅｃを除外した区間でのみＤＳＳＩを測定することができると仮定することができる。このような設定は、ネットワークの同期を知るか知らないかを問わずに適用でき、具体的には、ＤＭＴＣ区間で前／後１ｍｓｅｃずつＤＳＳＩ測定として使われないと仮定することができる。さらには、ＴＤＤの場合、このような問題がないため、このような設定は、ＦＤＤである場合に限定するということができる。併せて、探索信号（ＤＳ）ベースのＲＳＲＰとＲＳＳＩが測定されるサブフレームの整列を合わせるために、提案する方法によりＤＳＳＩ測定に使われるサブフレーム区間で探索信号（ＤＳ）ベースのＲＳＲＰ測定を実行すると仮定することができる。即ち、ＤＭＴＣの区間が５ｍｓｅｃである場合、中間３ｍｓｅｃでのみ探索信号（ＤＳ）ベースのＲＳＲＰ／ＲＳＲＱ測定を実行することができる。
【０２８７】
以上説明した、本発明の実施例は、多様な手段を介して具現されることができる。例えば、本発明の実施例は、ハードウェア、ファームウェア（ｆｉｒｍｗａｒｅ）、ソフトウェアまたはそれらの結合などにより具現されることができる。具体的には図面を参照して説明する。
【０２８８】
図２１は、本明細書の開示が具現される無線通信システムを示すブロック図である。
【０２８９】
基地局２００は、プロセッサ（ｐｒｏｃｅｓｓｏｒ）２０１、メモリ（ｍｅｍｏｒｙ）２０２及びＲＦ部（ＲＦ（ｒａｄｉｏ周波数）ｕｎｉｔ）２０３を含む。メモリ２０２は、プロセッサ２０１と連結され、プロセッサ２０１を駆動するための多様な情報を格納する。ＲＦ部２０３は、プロセッサ２０１と連結され、無線信号を送信及び／または受信する。プロセッサ２０１は、提案された機能、過程及び／または方法を具現する。前述した実施例において、基地局の動作は、プロセッサ２０１により具現されることができる。
【０２９０】
ＵＥ１００は、プロセッサ１０１、メモリ１０２及びＲＦ部１０３を含む。メモリ１０２は、プロセッサ１０１と連結され、プロセッサ１０１を駆動するための多様な情報を格納する。ＲＦ部１０３は、プロセッサ１０１と連結され、無線信号を送信及び／または受信する。プロセッサ１０１は、提案された機能、過程及び／または方法を具現する。
【０２９１】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは  ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０２９２】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、流れ図の一つまたはそれ以上のステップが本発明の範囲に影響を及ぼさずに削除可能であることを理解することができる。
【図１】
2019205170.tif 000020
【図２】
2019205170.tif 000021
【図３】
2019205170.tif 000022
【図４】
2019205170.tif 000023
【図５】
2019205170.tif 000024
【図６】
2019205170.tif 000025
【図７】
2019205170.tif 000026
【図８】
2019205170.tif 000027
【図９】
2019205170.tif 000028
【図１０】
2019205170.tif 000029
【図１１】
2019205170.tif 000030
【図１２】
2019205170.tif 000031
【図１３】
2019205170.tif 000032
【図１４】
2019205170.tif 000033
【図１５】
2019205170.tif 000034
【図１６】
2019205170.tif 000035
【図１７ａ】
2019205170.tif 000036
【図１７ｂ】
2019205170.tif 000037
【図１８】
2019205170.tif 000038
【図１９ａ】
2019205170.tif 000039
【図１９ｂ】
2019205170.tif 000040
【図２０】
2019205170.tif 000041
【図２１】
2019205170.tif 000042
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）における測定を実行する方法であって、
隣接セルに対する測定サブフレームパターンと探索信号に対する測定タイミング設定を受信するステップであって、前記探索信号は、ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）の少なくとも一つに基づく信号である、ステップと、
前記探索信号が少なくとも前記ＣＲＳを含むことに基づいて、前記測定サブフレームパターンと前記測定タイミング設定の両方を適用するステップであって、前記隣接セルに対する測定サブフレームパターンは前記探索信号に対する前記測定タイミング設定と異なる、ステップと、
前記測定サブフレームパターンの適用と、前記測定タイミング設定に基づいて測定を実行するために一つ以上のサブフレームを選択するステップと、
前記測定を実行するステップとを含む、測定実行方法。
【請求項２】
前記測定が実行されるサブフレームは、前記測定サブフレームパターンと前記測定タイミング設定との間の少なくとも一つ以上の重なるサブフレームに対応する、請求項１に記載の測定実行方法。
【請求項３】
前記選択するステップは、
前記測定サブフレームパターンに基づいて特定のサブフレームを選択するステップと、
前記選択された特定のサブフレームの中から、前記測定タイミング設定に基づいて前記少なくとも一つ以上のサブフレームを選択するステップとを含む、請求項１に記載の測定実行方法。
【請求項４】
前記測定タイミング設定は、搬送波周波数別に設定される、請求項１に記載の測定実行方法。
【請求項５】
前記測定がＲＳＳＩ（ｒｅｃｅｉｖｅｄ  ｓｉｇｎａｌ  ｓｔｒｅｎｇｔｈ  ｉｎｄｉｃａｔｏｒ）を測定するためである場合、前記測定は、サブフレームの全体ＯＦＤＭシンボル上で実行される、請求項１に記載の測定実行方法。
【請求項６】
測定を実行するユーザ装置（ＵＥ）であって、
隣接セルに対する測定サブフレームパターンと探索信号に対する測定タイミング設定を受信する送受信部と、
前記探索信号は、ＣＲＳ（ｃｅｌｌ−ｓｐｅｃｉｆｉｃ  ｒｅｆｅｒｅｎｃｅ  ｓｉｇｎａｌ）、ＣＳＩ−ＲＳ（ｃｈａｎｎｅｌ−ｓｔａｔｅ  ｉｎｆｏｒｍａｔｉｏｎ  ｒｅｆｅｒｅｎｃｅ  ｓｉｇｎａｌ）、ＰＳＳ（ｐｒｉｍａｒｙ  ｓｙｎｃｈｒｏｎｉｚａｔｉｏｎ  ｓｉｇｎａｌ）及びＳＳＳ（ｓｅｃｏｎｄａｒｙ  ｓｙｎｃｈｒｏｎｉｚａｔｉｏｎ  ｓｉｇｎａｌ）の少なくとも一つに基づく信号であり、
前記探索信号が少なくとも前記ＣＲＳを含むことに基づいて、前記測定サブフレームパターンと前記測定タイミング設定の両方を適用し、
前記隣接セルに対する測定サブフレームパターンは前記探索信号に対する前記測定タイミング設定と異なり、
前記測定サブフレームパターンの適用と、前記測定タイミング設定に基づいて測定を実行するために一つ以上のサブフレームを選択し、前記測定を実行するプロセッサとを含む、ユーザ装置。
【請求項７】
前記測定が実行されるサブフレームは、前記測定サブフレームパターンと前記測定タイミング設定との間の少なくとも一つ以上の重なるサブフレームに対応する、請求項６に記載のユーザ装置。
【請求項８】
前記一つ以上のサブフレームを選択するために、
前記プロセッサは、前記測定サブフレームパターンに基づいて特定のサブフレームを選択し、前記選択された特定のサブフレームのうち、前記測定タイミング設定に基づいて前記一つ以上のサブフレームを選択する、請求項６に記載のユーザ装置。
【請求項９】
前記測定タイミング設定は、搬送波周波数別に設定される、請求項６に記載のユーザ装置。
【請求項１０】
前記測定がＲＳＳＩ（ｒｅｃｅｉｖｅｄ  ｓｉｇｎａｌ  ｓｔｒｅｎｇｔｈ  ｉｎｄｉｃａｔｏｒ）を測定するためである場合、前記測定は、サブフレームの全体ＯＦＤＭシンボル上で実行される、請求項６に記載のユーザ装置。